(57)【要約】  マルチユーザ重畳符号化を受信機における適切な位相シフト推定と組み合わせることにより、送信機側で位相シフト補償を行うことでデータ信号の重畳がもたらされ得、これを正確にデマッピングしてデータ信号ごとに情報データを取得することができるようになり、その結果、複数の送信機によって送信されるデータ信号の送信がより効率的に行われるようになる可能性がある。これらを組み合わせることにより、典型的な上りリンク状況、または別々に関与しているＢＳの下りリンク状況に本概念を適用することができる。すなわち、データ信号が１つのＢＳから発生し、これらが１つのドメイン、すなわち基地局のドメインにおいて重畳される簡素な下りリンク状況とは異なり、重畳すべきデータ信号が、典型的な上りリンク状況におけるユーザエンティティまたは移動端末、あるいは下りリンク状況における異なる基地局などの別々の送信機から発生するという状況でも適用可能である。  ここで受信機側、すなわち前者の場合はＢＳとなり、後者の場合はＵＥとなる状況で位相シフト推定を行い、かつ関与している送信機の少なくとも一方へ位相シフト補償信号をシグナリングすることにより、送信機のコンスタレーションにそれぞれデータをマッピングするときに、送信機側で位相シフトを補償できるようになる。また、セル間干渉状況を緩和するために本概念を使用することができる。
2019531005.tif 000002
【特許請求の範囲】
【請求項１】
マルチユーザ重畳符号化を使用して、複数の送信機（１２ａ、１２ｂ）からデータ信号を受信するための受信機であって、前記受信機は、
チャネル（１６ａ、１６ｂ）間の位相シフト情報を取得するために、前記受信機が前記データ信号を受信する、前記チャネル間の位相シフトを推定し（１８）、
前記複数の送信機の少なくとも一方に、前記位相シフト情報によって異なる位相シフト補償信号を送信し（２０）、かつ
データ信号ごとに情報データを取得するために、前記データ信号を重畳したものにデマッピングを行うことによって、前記データ信号をデマッピングする（３０）ように構成されている、受信機。
【請求項２】
前記受信機は、前記複数の送信機の少なくとも一方に対して、前記チャネル間の位相シフトを低減するように指示を出すような、前記位相シフト補償信号を送信するように構成されている、請求項１に記載の受信機。
【請求項３】
前記受信機は、
電力比情報を取得するために、前記受信機が前記データ信号を受信する、前記チャネル間の電力比を推定し（３６）、
前記複数の送信機の少なくとも一方に、前記電力比情報によって異なる電力比補償信号を送信する（３８）ようにさらに構成されており、
前記電力比補償信号は前記電力比情報によって異なり、かつ前記位相シフト補償信号
は前記位相シフト情報によって異なり、
これにより、前記位相シフト補償信号が前記チャネル間の位相シフトを低減し、かつ
前記電力比補償信号が、前記チャネル間の前記電力比と目標比との偏差を低減するようにしている、請求項２の記載の受信機。
【請求項４】
前記データ信号および前記送信機の数はそれぞれ２つであり、前記目標比は区間［０．９、１．１］の範囲外であり、区間［０．１、１０］の範囲内である、請求項３に記載の受信機。
【請求項５】
前記データ信号はＮ＞１となるデータ信号であり、前記目標比を、ａ１、ａ２＜ａ３、ａ４＜…＜ａＮである第１から第Ｎのデータ信号においてａ１：ａ２：…：ａＮとしており、第（２ｎ＋１）のデータ信号のＢＰＳＫコンスタレーションを、第（２（ｎ＋１））のデータ信号のデータ信号のＢＰＳＫコンスタレーションに対して−１＜ｎ＜Ｎ／２で回転させる形態で、各データ信号を別々にＢＰＳＫ変調しており、前記受信機は、前記重畳をデマッピングするために、第Ｎから第１のデータ信号のＢＰＳＫコンスタレーションを順に１つずつ再帰的にコピーすることから生じる、コンポーネントコンスタレーションを使用するように構成されている、請求項３または４に記載の受信機。
【請求項６】
前記データ信号を、それぞれの変調方式に従って別々に変調しており、前記受信機は、前記重畳をデマッピングするために、第２のデータ信号の変調方式における第２のコンスタレーションのコンスタレーション点で、第１のデータ信号の変調方式における第１のコンスタレーションをコピーすることから生じる、コンポーネントコンスタレーションを使用するように構成されている、請求項１から５のいずれか一項に記載の受信機。
【請求項７】
前記受信機は、スペクトル的に配置されたＯＦＤＭ信号サブキャリアを介して、前記複数の送信機から前記データ信号を受信するように構成されており、前記ＯＦＤＭ信号は、第１の送信機から送信される第１のＯＦＤＭ信号を含み、前記第１のＯＦＤＭ信号は、第２の送信機（１２ｂ）から送信される第２のＯＦＤＭ信号と比較してより短く、かつサブキャリアのスペクトル密度（１２ａ）がより高くなっている、請求項１から６のいずれか一項に記載の受信機。
【請求項８】
前記受信機は、スペクトル的に隣接する前記第１のＯＦＤＭ信号サブキャリア、および配置された対応する前記第２のＯＦＤＭ信号サブキャリアの帯域への同様のマルチユーザ重畳を使用して、複数の送信機から別のデータ信号を受信するように構成されており、前記受信機は、前記位相シフト補償信号が、スペクトルサブバンドごとに１つの位相シフト値を含み、これに対して、前記第１のＯＦＤＭ信号が属するキャリアの物理リソースブロックが、前記第２のＯＦＤＭ信号が属するキャリアの物理リソースブロックによってさらに細分されるように、前記位相シフト補償信号を送信するように構成されている、請求項７に記載の受信機。
【請求項９】
前記受信機は、チャネル推定を行うために、前記第２の送信機によって送信される第２のチャネル推定参照信号の少なくともサブセットに干渉させないように、ＯＦＤＭ送信をブランキングするタイミングに関して前記第１の送信機に指示するブランキングスケジューリング信号を前記第１の送信機（１２ａ）に送信するように構成されており、前記受信機は、前記第２の送信機によって送信される第２のチャネル推定参照信号に基づいて位相シフト推定を行い、かつ前記第２のチャネル推定参照信号のサブセットを、位相シフト推定参照信号としても使用するように構成されている、請求項１から８のいずれか一項に記載の受信機。
【請求項１０】
前記受信機は、下りリンク制御情報（ＤＣＩ）メッセージを介して、かつ／または無線リソース制御（ＲＲＣ）メッセージを介して、前記ブランキングスケジューリング信号を送信するように構成されている、請求項９に記載の受信機。
【請求項１１】
前記受信機は、物理ランダム・アクセス・チャネル（ＰＲＡＣＨ：Ｐｈｙｓｉｃａｌ  Ｒａｎｄｏｍ  Ａｃｃｅｓｓ  Ｃｈａｎｎｅｌ）のアクティブ位相の最後に前記複数の送信機の少なくとも一方から受信した位相シフト推定参照信号に基づいて、前記位相シフト推定を行うように構成されている、請求項１から１０のいずれか一項に記載の受信機。
【請求項１２】
前記受信機は、前記受信機に位相シフト推定参照信号を送信するタイミング、および／または送信時のスペクトルバンドに関して前記複数の送信機の少なくとも一方に指示する参照信号スケジューリング信号を前記複数の送信機の少なくとも一方に送信するように構成されており、前記受信機は、前記位相シフト推定参照信号に基づいて前記位相シフト推定を行うように構成されている、請求項１から１１のいずれか一項に記載の受信機。
【請求項１３】
前記受信機は、前記参照信号スケジューリング信号内で前記位相シフト推定参照信号を特徴付けるように構成されている、請求項１２に記載の受信機。
【請求項１４】
前記受信機は、下りリンク制御情報（ＤＣＩ）メッセージを介して、かつ／または無線リソース制御（ＲＲＣ）メッセージを介して、前記参照信号スケジューリング信号を送信するように構成されている、請求項１２または１３に記載の受信機。
【請求項１５】
前記受信機は、下りリンク制御情報（ＤＣＩ）メッセージを介して、かつ／または無線リソース制御（ＲＲＣ）メッセージを介して、前記位相シフト補償信号を送信するように構成されている、請求項１から１４のいずれか一項に記載の受信機。
【請求項１６】
前記受信機は、前記位相シフト補償信号を、第１のタイプのメッセージおよび第２のタイプのメッセージ内で送信するように構成されており、前記第１のタイプのメッセージは、前記第２のタイプのメッセージと比較して送信頻度がより少なく、かつ前記第１のタイプのメッセージにおける前記位相シフト補償信号は、前記第２のタイプのメッセージにおける前記位相シフト補償信号によって記述することのできないシグナリング位相オフセットを可能にしている、請求項１から１５のいずれか一項に記載の受信機。
【請求項１７】
前記受信機は、インジケータフィールドと位相シフトフィールドとを含むメッセージ内で前記位相シフト補償信号を送信するように構成されており、前記インジケータフィールド内の値は、前記位相シフトフィールド内の値と、位相シフト補償に使用される位相シフト値との間のマッピングを変更する、請求項１から１６のいずれか一項に記載の受信機。
【請求項１８】
前記受信機は、位相シフトを絶対表示するか、または位相シフト補償を相対表示する方法で、前記位相シフト補償信号を送信するように構成されている、請求項１から１７のいずれか一項に記載の受信機。
【請求項１９】
前記受信機は、重みによって求められた予測アルゴリズムを使用した、過去の位相シフトの重み付けに基づいて前記位相シフトを予測し、かつ位相シフト補償信号として前記重みの更新を送信するように構成されている、請求項１から１８のいずれか一項に記載の受信機。
【請求項２０】
前記受信機は、前記位相シフトを追跡するようにあるモデルを訓練し、かつ位相シフト補償信号として訓練される前記モデルに関する情報を送信するように構成されている、請求項１から１９のいずれか一項に記載の受信機。
【請求項２１】
前記受信機は基地局であり、前記データ信号は前記受信機に対して、上りリンク方向で前記複数の送信機によって送信されるか、または前記受信機は移動端末であり、前記データ信号は前記受信機に対して、下りリンク方向で前記複数の送信機によって送信されており、前記送信機は別々の基地局である、請求項１から２０のいずれか一項に記載の受信機。
【請求項２２】
前記受信機は、ＯＦＤＭもしくはＳＣ−ＦＤＭまたはＯＦＤＭＡ  もしくはＳＣ−ＦＤＭＡ無線通信システムの基地局であり、前記複数の送信機は、ＯＦＤＭもしくはＳＣ−ＦＤＭまたはＯＦＤＭＡもしくはＳＣ−ＦＤＭＡ無線通信システムの移動端末であり、前記データ信号は、上りリンク方向において前記複数の送信機によって供給される、時間的にオーバーラップするＯＦＤＭシンボルにおいて周波数がオーバーラップするサブキャリア上で受信されている、請求項１から２１のいずれか一項に記載の受信機。
【請求項２３】
別の送信機（１２ｂ；ＵＥ１）の別のデータ信号で重畳したデータ信号を、マルチユーザ重畳符号化を使用して少なくとも前記別のデータ信号を受信しようと試みる受信機（１０；ＢＳ１）に送信するための送信機であって、前記送信機は、
前記受信機（１０；ＢＳ１）に位相シフト推定参照信号を送信し（１４）、
前記位相シフト推定参照信号に応答した位相シフト補償信号を受信し（２２）、かつ
前記データ信号を取得するために、前記位相シフト補償信号に従って位相シフトを補償したコンスタレーションを使用して、データをマッピングする（２４）ように構成されている、送信機。
【請求項２４】
前記送信機は、
前記受信機（１０）または前記データ信号の受信者（ＢＳ２）から電力比補償信号を受信し（４０）、
前記電力比補償信号に応じて、前記データ信号を送信する際の電力を設定するようにさらに構成されている、請求項２３に記載の送信機。
【請求項２５】
前記送信機は、スペクトル的に配置された第２のＯＦＤＭ信号サブキャリアを介して別の前記データ信号を送信する形態で、ＯＦＤＭ信号サブキャリアを介して前記データ信号を送信するように構成されており、前記第１のＯＦＤＭ信号は、第２のＯＦＤＭ信号と比較してより短く、かつサブキャリアのスペクトル密度がより低くなっている、請求項２３または２４に記載の送信機。
【請求項２６】
前記送信機は、スペクトル的に隣接する前記第１のＯＦＤＭ信号サブキャリアの帯域に、前記位相シフト補償信号に従って位相シフトを補償したそれぞれのコンスタレーションを使用してデータをマッピングし、これによって配置された対応する前記第２のＯＦＤＭ信号サブキャリアとの重畳をもたらすように構成されており、前記送信機は、前記位相シフト補償信号からスペクトルサブバンドごとの位相シフト値を読み取り、これに対して、前記第１のＯＦＤＭ信号が属するキャリアの物理リソースブロックが、前記第２のＯＦＤＭ信号が属するキャリアの物理リソースブロックによってさらに細分される状態にするように構成されている、請求項２５に記載の送信機。
【請求項２７】
チャネル推定を行うために、前記別の送信機（１２ｂ；ＵＥ１）によって送信される第２のチャネル推定参照信号の少なくともサブセットに干渉させないように、ＯＦＤＭ送信をブランキングするタイミングに関して、前記受信機（１０）または前記データ信号の受信者（ＢＳ２）からのブランキングスケジューリング信号に応答するように構成されている、請求項２３から２６のいずれか一項に記載の送信機。
【請求項２８】
下りリンク制御情報（ＤＣＩ）メッセージを介して、かつ／または無線リソース制御（ＲＲＣ）メッセージを介して、前記ブランキングスケジューリング信号を受信するように構成されている、請求項２７に記載の送信機。
【請求項２９】
物理ランダム・アクセス・チャネル（ＰＲＡＣＨ：Ｐｈｙｓｉｃａｌ  Ｒａｎｄｏｍ  Ａｃｃｅｓｓ  Ｃｈａｎｎｅｌ）のアクティブ位相の最後に、前記位相シフト推定信号を送信するように構成されている、請求項２３から２８のいずれか一項に記載の送信機。
【請求項３０】
前記送信機は、
前記受信機（１０）または前記データ信号の受信者（ＢＳ２）から参照信号スケジューリング信号を受信し、かつ
前記参照信号スケジューリング信号によって異なるスケジュールされた時間に、かつ／またはスペクトルバンドにおいて、前記受信機（１０；ＢＳ１）に位相シフト推定参照信号を送信するようにさらに構成されている、請求項２３から２９のいずれか一項に記載の送信機。
【請求項３１】
前記送信機は、前記参照信号スケジューリング信号に応じて、前記位相シフト推定参照信号を生成するように構成されている、請求項３０に記載の送信機。
【請求項３２】
前記送信機は、下りリンク制御情報（ＤＣＩ）メッセージを介して、かつ／または無線リソース制御（ＲＲＣ）メッセージを介して、前記参照信号スケジューリング信号を受信するように構成されている、請求項３０または３１に記載の送信機。
【請求項３３】
前記送信機は、下りリンク制御情報（ＤＣＩ）メッセージを介して、かつ／または無線リソース制御（ＲＲＣ）メッセージを介して、前記位相シフト補償信号を受信するように構成されている、請求項２３から３２のいずれか一項に記載の送信機。
【請求項３４】
前記送信機は、前記位相シフト補償信号を、第１のタイプのメッセージおよび第２のタイプのメッセージ内で受信するように構成されており、前記第１のタイプのメッセージは、前記第２のタイプのメッセージと比較して受信頻度がより少なくなっており、前記送信機は、前記第１のタイプのメッセージにおける前記位相シフト補償信号を、前記第２のタイプのメッセージにおける前記位相シフト補償信号によって記述することのできないシグナリング位相オフセットとして、これを解釈するように構成されている、請求項２３から３３のいずれか一項に記載の送信機。
【請求項３５】
前記送信機は、インジケータフィールドと位相シフトフィールドとを含むメッセージ内で前記位相シフト補償信号を受信し、かつ前記インジケータフィールド内の値に応じて、前記位相シフトフィールド内の値と、前記データの位相シフト補償によるマッピングで使用する位相シフト値との間のマッピングを変更するように構成されている、請求項２３から３４のいずれか一項に記載の送信機。
【請求項３６】
前記送信機は、前記位相シフト補償信号に応じて、所定の固定回転準位に対して、または現在の回転準位に対してコンスタレーションを回転させるように構成されている、請求項２３から３５のいずれか一項に記載の送信機。
【請求項３７】
前記送信機は、重みと、前記位相シフト補償信号よる重みの更新とによって求められた予測アルゴリズムを使用した、過去の位相シフトの重み付けに基づいて、前記マッピングに使用する位相シフトを予測するように構成されている、請求項２３から３４のいずれか一項に記載の送信機。
【請求項３８】
前記送信機は、前記位相シフト補償信号を介してあるモデルに関する情報を受信し、かつ前記マッピングに使用する位相シフトを追跡させるために前記モデルを使用するように構成されている、請求項２３から３７のいずれか一項に記載の送信機。
【請求項３９】
前記受信機は基地局であり、前記データ信号は前記受信機に対して、上りリンク方向で送信されるか、または前記受信機は移動端末であり、前記データ信号は前記受信機に対して、下りリンク方向で送信されており、前記送信機と前記別の送信機とは別々の基地局である、請求項２３から３８のいずれか一項に記載の送信機。
【請求項４０】
前記受信機は、ＯＦＤＭもしくはＳＣ−ＦＤＭまたはＯＦＤＭＡもしくはＳＣ−ＦＤＭＡ無線通信システムの基地局であり、前記送信機は、ＯＦＤＭもしくはＳＣ−ＦＤＭまたはＯＦＤＭＡもしくはＳＣ−ＦＤＭＡ無線通信システムの移動端末であり、前記データ信号は、ＯＦＤＭシンボルのサブキャリア上で送信されている、請求項２３から３９のいずれか一項に記載の送信機。
【請求項４１】
サポートしている送信機（ＵＥ１）から所望のデータ信号を受信するための受信機であって、前記受信機は、
チャネル間の位相シフト情報を取得するために、前記受信機が前記所望のデータ信号と、別の受信機（ＢＳ２）によってサポートされている送信機（ＵＥ２）から、前記所望のデータ信号で重畳する方法で送信される干渉データ信号とを受信する、前記チャネル間の位相シフトを推定し、
前記別の送信機（ＵＥ２）に、前記位相シフト情報によって異なる位相シフト補償信号が転送されるように、これを別の基地局（ＢＳ２）に送信し、かつ
前記所望のデータ信号に関する情報データを取得するために、前記所望のデータ信号と前記干渉データ信号とを重畳したものに、マルチユーザ重畳復号化を使用してデマッピングを行うことにより、前記所望のデータ信号をデマッピングするように構成されている、受信機。
【請求項４２】
マルチユーザ重畳符号化を使用して複数の送信機（１２ａ、１２ｂ）からデータ信号を受信する方法であって、前記方法は、
チャネル（１６ａ、１６ｂ）間の位相シフト情報を取得するために、前記受信機が前記データ信号を受信する、チャネル間の位相シフトを推定するステップ（１８）と、
前記複数の送信機の少なくとも一方に、位相シフト補償信号を送信するステップ（２０）であって、前記位相シフト補償信号は前記位相シフト情報によって異なる、ステップ（２０）と、
前記データ信号ごとに情報データを取得するために、前記データ信号を重畳したものにデマッピングを行うことによって、前記データ信号をデマッピングするステップ（３０）とを含む、方法。
【請求項４３】
別の送信機（１２ｂ；ＵＥ１）の別のデータ信号で重畳したデータ信号を、マルチユーザ重畳符号化を使用して少なくとも前記別のデータ信号を受信しようと試みる受信機（１０；ＢＳ１）に送信するための方法であって、前記方法は、
前記受信機（１０；ＢＳ１）に位相シフト推定参照信号を送信するステップ（１４）と、
前記位相シフト推定参照信号に応答した位相シフト補償信号を受信するステップ（２２）と、
前記データ信号を取得するために、前記位相シフト補償信号に従って位相シフトを補償したコンスタレーションを使用して、データをマッピングするステップ（２４）とを含む、方法。
【請求項４４】
サポートしている送信機（ＵＥ１）から所望のデータ信号を受信する方法であって、前記方法は、
チャネル間の位相シフト情報を取得するために、前記受信機が前記所望のデータ信号と、別の受信機（ＢＳ２）によってサポートされている送信機（ＵＥ２）から、前記所望のデータ信号で重畳する方法で送信される干渉データ信号とを受信する、前記チャネル間の位相シフトを推定するステップと、
前記別の送信機（ＵＥ２）に位相シフト補償信号が転送されるように、これを前記別の基地局（ＢＳ２）に送信するステップであって、前記位相シフト補償信号は前記位相シフト情報によって異なる、ステップと、
前記所望のデータ信号に関する情報データを取得するために、前記所望のデータ信号と前記干渉データ信号とを重畳したものに、マルチユーザ重畳復号化を使用してデマッピングを行うことにより、前記所望のデータ信号をデマッピングするステップとを含む、方法。
【請求項４５】
コンピュータ上で実行されると、請求項３９から４４のいずれか一項に記載の方法を実行する命令を格納しているコンピュータ可読媒体を備える、非一時的コンピュータプログラム製品。
【発明の詳細な説明】
【技術分野】
【０００１】
本出願は、マルチユーザ重畳送信（ＭＵＳＴ：ＭｕｌｔｉーＵｓｅｒ  Ｓｕｐｅｒｐｏｓｉｔｉｏｎ  Ｔｒａｎｓｍｉｓｓｉｏｎ）を用いた送信概念などの、マルチユーザ重畳符号化による送信の概念に関する。
【背景技術】
【０００２】
下りリンクＭＵＳＴでは、異なるユーザ機器（ＵＥ：Ｕｓｅｒ  Ｅｑｕｉｐｍｅｎｔ）専用のオーバレイ信号間の同期は、進化型ノード  Ｂ（ｅＮＢ：Ｅｖｏｌｖｅｄ  Ｎｏｄｅ  Ｂ）によって簡便に得ることができる。しかしながら、上りリンクＭＵＳＴ（ＵＬ−ＭＵＳＴ：ｕｐｌｉｎｋ  ＭＵＳＴ）の場合、問題となるのは、図１７ａに示すように、異なるＵＥによって形成された基地局（ＢＳ：Ｂａｓｅ  Ｓｔａｔｉｏｎ）で受信したコンポジットコンスタレーションの復号化である。受信ＢＳでは、異なるＵＥからのコンポーネントコンスタレーションは、Ｕ−ＭＵＳＴのＵＥとＢＳとの間の独立したチャネル（振幅および位相）によって影響を受ける。ＭＵＳＴ−Ｃａｔ．２および３は、コンポジットコンスタレーションでのラベルビットの割り当ての点で、とりわけ問題がある。ＵＬ−ＭＵＳＴのコンポジットコンスタレーションの例を図１７に示している。また、図１７ｂに示すように２つのＢＳが同じリソースで同じＵＥに送信する場合、または図１７ｃに示すようにＵＥに近接した異なるリソースで送信する場合でそれぞれ、下りリンク（ＤＬ：ｄｏｗｎｌｉｎｋ）干渉制御方式が重要な意味を持つ。
【０００３】
送信がＵＥ側で開始される上りリンク環境において、またはオーバレイ信号が異なるＢＳ側で発生し、かつその送信がＢＳ側で開始されるＤＬ干渉シナリオにおいて、マルチユーザ重畳符号化技術によってもたらされる効率の利得が利用できる概念を念頭に置くことが好ましい。
【発明の概要】
【発明が解決しようとする課題】
【０００４】
したがって、本発明の目的は、複数の送信機から送信されるデータ信号を、より効率的に送信するための概念を提供することである。
【課題を解決するための手段】
【０００５】
この目的は、本出願の独立請求項の主題によって達成される。
【０００６】
本出願の基本的な知見は、マルチユーザ重畳符号化を受信機における適切な位相シフト推定と組み合わせることにより、送信機側で位相シフト補償を行うことでデータ信号の重畳がもたらされ得、これを正確にデマッピングしてデータ信号ごとに情報データを取得することができるようになり、その結果、複数の送信機によって送信されるデータ信号の送信がより効率的に行われるようになる可能性があるということである。これらを組み合わせることにより、典型的な上りリンク状況、または別々に関与しているＢＳの下りリンク状況に本概念を適用することができる。すなわち、データ信号が１つのＢＳから発生し、これらが１つのドメイン、すなわち基地局のドメインにおいて重畳される下りリンク状況とは異なり、重畳すべきデータ信号が、典型的な上りリンク状況におけるユーザエンティティまたは移動端末、あるいは下りリンク状況における異なる基地局などの別々の送信機から発生するという状況でも適用可能である。ここで受信機側、すなわち前者の場合はＢＳとなり、後者の場合はＵＥとなる状況で位相シフト推定を行い、かつ関与している送信機の少なくとも一方へ位相シフト補償信号をシグナリングすることにより、送信機のコンスタレーションにそれぞれデータをマッピングするときに、送信機側で位相シフトを補償できるようになる。別の実施形態によれば、セル間干渉状況を緩和するために本概念を使用している。
【０００７】
本出願の一実施形態によれば、送信機が受信機に位相シフト推定信号を送信することと、これに続き、受信機が送信機の少なくとも一方に対応する位相シフト補償信号を送信することとに基づく受信機側の位相シフト推定に加えて、受信機側で電力比推定を行い、これに続き、送信機の少なくとも一方に電力比補償信号を送信している。電力比補償信号の受信者は、位相シフト補償信号の受信者と同じであってもなくてもよい。送信機側で位相シフト補償信号を適用することにより、受信機で重畳する送信機のデータ信号間の位相シフトが低減されるが、その一方で振幅比補償信号を、受信機で重畳するデータ信号間の振幅比と目標比との偏差を低減するために設けている。目標比は、たとえば１：２：…：２Ｎに近いか、または同様の比率であってもよく、もしくはかかる比率とすることができ、ここでＮは、マルチユーザ重畳符号化送信に関与している送信機の数である。他の比率を同様に適用してもよい。送信機は、各送信機がそのデータ信号を送信する際の電力を適切に設定するために、電力比補償信号を使用している。
【０００８】
一実施形態によれば、電力比補償信号を送信することにより、送信機側での電力の設定を、各上りリンクの電力を制御するためにマルチユーザ重畳符号化送信に関与している送信機を含む、すべての実行中の送信機に受信機が送信する送信電力制御信号よりも小さい、あるいは細かい単位で行うことが可能となる。実際、アンカーまたは第２のコンポーネントキャリアとアグリゲートされた第１のコンポーネントキャリアでマルチユーザ重畳符号化送信を実行するとき、第１のコンポーネントキャリアの電力を振幅比補償信号が制御する際の量子化精度またはステップサイズは、最終的にはアンカーまたは第２のコンポーネントキャリアの送信電力を制御するために使用される送信電力制御信号の量子化精度を超えるものとなる可能性がある。この手段により、より細かい粒度の電力比補償信号に対処することができないレガシー送信機を、アンカーまたは第２のコンポーネントキャリア上でさらに実行させることができ、その際の送信電力は、より低い量子化精度をもって制御される。
【０００９】
本出願の一実施形態によれば、Ｎ＞１を超えるデータ信号が、ａ１、ａ２＜ａ３、ａ４＜…＜ａＮである第１から第Ｎのデータ信号に対する目標比をａ１：ａ２：…：ａＮとする状態でマルチユーザ重畳符号化送信に関与しており、ここでは各データ信号を別々に二位相偏移変調（ＢＰＳＫ：Ｂｉｎａｒｙ  Ｐｈａｓｅ  Ｓｈｉｆｔ  Ｋｅｙｉｎｇ）している。第（２ｎ＋１）のデータ信号のＢＰＳＫコンスタレーションを、第（２（ｎ＋１））のデータ信号のＢＰＳＫコンスタレーションに対して−１＜ｎ＜Ｎ／２で回転させている。この手段により、２、３、４またはそれ以上となるＮ＞  １のデータ信号は共通の物理リソースを効果的に共有し、これは、第１から第Ｎのデータ信号のＢＰＳＫコンスタレーションを順に１つずつ再帰的にコピーすることから生じる、複素ドメインのグリッドにおいて規則的に間隔を置いた２Ｎ個のコンスタレーション点によるコンポーネントコンスタレーションをもたらす。
【００１０】
一実施形態によれば、物理ランダム・アクセス・チャネル（ＰＲＡＣＨ：Ｐｈｙｓｉｃａｌ  Ｒａｎｄｏｍ  Ａｃｃｅｓｓ  Ｃｈａｎｎｅｌ）を使用して、位相シフト推定参照信号（ＰＳＥＲＳ：Ｐｈａｓｅ  Ｓｈｉｆｔ  Ｅｓｔｉｍａｔｉｏｎ  Ｒｅｆｅｒｅｎｃｅ  Ｓｉｇｎａｌ）を送信している。ランダムアクセスＰＲＡＣＨ信号が実際のＰＳＥＲＳに干渉しないように、この送信をＰＲＡＣＨのアクティブ位相の最後に行ってもよい。その利点は、ＰＲＡＣＨ信号が既にレガシー送信機から送信されているため、レガシー送信機が、自身が送信するデータ信号が受信機に着信する際に、その着信が、同じ物理リソース上の受信機に代わって、ピギーバック方式でデータ信号を送信する別の送信機のデータ信号を重畳する方法によるものであるかどうかを認識することなく、マルチユーザ重畳符号化送信に関与できる点にある。
【００１１】
一実施形態によれば、位相シフト補償信号、振幅比補償信号、および／または位相シフト推定参照信号の送信をスケジューリングするための参照信号スケジューリング信号を、下りリンク制御情報（ＤＣＩ：Ｄｏｗｎｌｉｎｋ  Ｃｏｎｔｒｏｌ  Ｉｎｆｏｒｍａｔｉｏｎ）メッセージを介して、かつ／または無線リソース制御（ＲＲＣ：Ｒａｄｉｏ  Ｒｅｓｏｕｒｃｅ  Ｃｏｎｔｒｏｌ）メッセージを介して、受信機から各送信機へと送信している。
【００１２】
位相シフト補償信号および／または振幅比補償信号を送信することによって発生する制御オーバーヘッドを低減するために、これらの信号の一方または両方を、第１のタイプのメッセージおよび第２のタイプのメッセージにおいて送信してもよく、その際、第１および第２のタイプのメッセージ送信の頻度は異なっている。そうすることで、第１のタイプのメッセージは、たとえばその送信頻度がより少なくなる可能性があるが、第２のタイプのメッセージ内で各信号が記述することのできないシグナリング位相オフセットを可能にする方法となっている。位相シフト補償信号の場合は位相シフトフィールド、または振幅比補償信号の場合は電力制御フィールドなど、他のフィールドの読み取り方法を変更するインジケータフィールドをメッセージに付与することによって、同様の効果を達成することができる。
【００１３】
別の実施形態によれば、この位相シフト補償は、一連の位相シフト補償信号が、位相シフト補償信号の受信者、すなわち各送信機が、そのコンスタレーションにデータをマッピングするときに使用する現在の位相シフトに対して、各送信機のコンスタレーションにデータをマッピングする次のタスクにおいて配慮すべき位相シフトを示すことによって達成される。このようにして、位相シフト補償信号を送信する際に発生するオーバーヘッドをさらに低減している。
【００１４】
別の実施形態によれば、位相シフト補償信号を予測符号化を用いて符号化してもよく、これはすなわち、単に予測残差を符号化するか、あるいはたとえば、単に予測アルゴリズムを更新する際の重みを符号化してもよいということである。この場合、送信機および受信機は、予測残差のみ、すなわち使用される実際の位相シフトと、位相シフト補償信号によってシグナリングされる予測された位相シフトとの差のみを用いて、使用される位相シフトを予測するか、あるいはその際、重み更新を行うことによって予測アルゴリズムを継続的に更新し、このような予測アルゴリズムの更新で得られた予測を用いることになる。
【００１５】
本出願の有利な実施形態を従属請求項の主題としている。
【図面の簡単な説明】
【００１６】
【図１】左側で、関与している両方のＵＥ、すなわちＵＥ１およびＵＥ２に対して電力割り当てを行い、かつＵＥ２に対してのみ位相オフセット補償を行い、また右側で、両方のＵＥに電力割り当てと位相オフセット補償とを行う状況における、重畳データ信号のコンスタレーションの相互回転を示した概略図である。
【図２】下りリンクＭＵＳＴの場合の基地局の送信経路を示したブロック図である。
【図３】ＭＵＳＴカテゴリ１のコンポジットコンスタレーションを示した概略図である。
【図４】本出願の一実施形態による受信機のブロック図および送信機のブロック図であり、その両方を、重畳方式で受信機にデータ信号を送信する別の送信機と共に設けているシナリオにおいて示す。
【図５】電力比推定をも含む別の実施形態による、図４のシナリオにおける受信機のブロック図および送信機のブロック図である。
【図６】狭帯域モノのインターネット（ＮＢ−ＩｏＴ：Ｎａｒｒｏｗ  Ｂａｎｄ  ＩｏＴ）のＭ−ＰＲＡＣＨにおけるＬＴＥサウンディング参照信号（ＬＴＥ−ＳＲＳ：ＬＴＥ  Ｓｏｕｎｄｉｎｇ  Ｒｅｆｅｒｅｎｃｅ  Ｓｉｇｎａｌ）のオーバレイを示した概略図である。
【図７】データ信号が受信機に着信する際に経由するチャネルのチャネル位相によって、受信機が受信するデータ信号のコンスタレーションの回転、およびその間に結果として生じる位相オフセットまたは位相シフトを示した（すなわち、受信機または基地局での受信（Ｒｘ：ｒｅｃｅｉｖｅ）コンスタレーションを示した）概略図である。
【図８】左側から中央にかけてのコンポジットコンスタレーションにおいて第１の位相補償反復を有し、かつ中央から右側にかけてのコンポジットコンスタレーションにおいて別の位相補償反復を有する、受信機で隣り合った３つの（３ｘ）コンポジットコンスタレーションを概略的に示した図である。
【図９】ＲＲＣ物理チャネルの再構成を示した例である。
【図１０】例示的なＲＲＣ上りリンク位相補償シグナリングを示した図である。
【図１１】ＵＥ２がその復調参照信号（ＤＭＲＳ：Ｄｅｍｏｄｕｌａｔｉｏｎ  Ｒｅｆｅｒｅｎｃｅ  Ｓｉｇｎａｌ）をブランキングする、周波数・時間リソース上のサブフレームのブランキングを示した概略図である。
【図１２】ＮＢ−ＩｏＴ  ＵＬキャリア上で６つの直交周波数分割多重（ＯＦＤＭ：Ｏｒｔｈｏｇｏｎａｌ  Ｆｒｅｑｕｅｎｃｙ  Ｄｉｖｉｓｉｏｎ  Ｄｕｐｌｅｘｉｎｇ）シンボルをブランキングするＬＴＥ  ＵＥを示した概略図である。
【図１３】ブランキングパターンの一例を示した表である。
【図１４】半永続ブランキングを設定するためのＲＲＣメッセージの一例を示した図である。
【図１５】４つのＢＰＳＫ送信の重畳を示した概略図である。
【図１６】セル間干渉の低減のために前掲の図に関連して教示しているマルチユーザ重畳符号化の概念を使用した、一実施形態による受信機および送信機を示した概略図である。
【図１７ａ】上りリンク状況、および異なるＢＳから発生する重畳信号を伴う下りリンク状況における、概略的な重畳符号化を示した概略図である。
【図１７ｂ】１つのＵＥを対象としている、概略的な重畳符号化を示した概略図である。
【図１７ｃ】別々に存在しているが近傍にあるＵＥを対象としているが、チャネル状態情報（ＣＳＩ：Ｃｈａｎｎｅｌ  Ｓｔａｔｅ  Ｉｎｆｏｒｍａｔｉｏｎ）および位相補償のない状態における、概略的な重畳符号化を示した概略図である。
【発明を実施するための形態】
【００１７】
本出願の好ましい実施形態を、図面に関連して以下に記載する。
【００１８】
本出願の実施形態における以下の記載を容易に理解できるように促すために、図１に関連して、下りリンクシナリオにおけるマルチユーザ重畳送信の使用と、この送信概念を上りリンクへと移行させる試みに関連した課題とに関して本出願明細書の導入部分で行っている説明を再開するものとする。したがって、この動機について述べている考察を、後に記載する本出願の実施形態に関して限定しているものとして捉えるべきではない。
【００１９】
ＭＵＳＴコンポジットコンスタレーションを復号化するために、受信機（すなわち、上りリンク状況では基地局であり、下りリンク状況ではＵＥ）は、ＵＬ−（上りリンク）ＭＵＳＴの場合に関与しているＵＬ−ＭＵＳＴのＵＥ、またはＤＬ（下りリンク）ＭＵＳＴの場合に重畳信号の発生元となる、関与しているＢＳのチャネル状態推定、または重畳データ信号の相互干渉を補償するための干渉制御を必要とする。ＵＬ−ＭＵＳＴの状況を予備的に検証することとする。上りリンク状況に対して予備的に焦点を当てることを、限定として捉えるべきではない。ＵＬ状況に関して記載している詳細は、関与しているＢＳが別々に存在する下りリンク状況に容易に置き換えることができ、後者の場合に関連する実施形態については、ＵＬ  ＭＵＳＴに関する実施形態の後に後述するものとする。ＵＬ−ＭＵＳＴを改善するために、電力割り当てと位相オフセット補償とを利用し、これによってコンポジットコンスタレーションを最適化することができる。図１は、かかる位相オフセット補償および電力割り当て制御の効果を示した図である。図１の左側は、複素ドメインにおける別の送信機ＵＥ２の直交振幅変調（ＱＡＭ：Ｑｕａｄｒａｔｕｒｅ  Ａｍｐｌｉｔｕｄｅ  Ｍｏｄｕｌａｔｉｏｎ）コンスタレーション（斜線を付した円）点に対する第１の送信機またはユーザエンティティＵＥ１のＱＡＭコンスタレーション（太字の円）の回転を示しており、ＵＥ２の位相オフセットから生じる回転はここでは補償されていると仮定している一方で、ＵＥ２のＱＡＭコンスタレーションに対するＵＥ１のＱＡＭコンスタレーションの回転が、ＵＥ１と受信機とを、かつＵＥ２と受信機とをそれぞれ接続しているチャネルにおける任意の差異に起因して発生するように、いかなる位相オフセットも補償されていないと仮定している。両方のＵＥ、すなわちＵＥ１およびＵＥ２は既に電力制御されていると仮定し、その結果、ＵＥ１のデータ信号は受信機、すなわち基地局に、ＵＥ２のＱＡＭコンスタレーションと比較して拡散が少ないか、または縮小しているＵＥ１のＱＡＭコンスタレーション点に発生するＵＥ２のデータ信号と比較して、低電力状態で着信する。図１の右側では、両方の送信機、すなわちＵＥ１およびＵＥ２が位相オフセット補償されている場合に生じる状況の変化を示している。以下にさらに記載しているように、ＵＥ１およびＵＥ２のデータ信号に受信機または基地局への途上で発生する位相シフトを補償または低減するために、ＵＥ１がそのＱＡＭコンスタレーションを適切に事前回転させることによってこれを実行してもよい。図１の右側に示しているように、ＵＥ１のコンスタレーション点は、ＵＥ２のコンスタレーションにおけるコンスタレーション点と同様に、ここで複素ドメインのアクセスへと位置合わせされる。その結果、  ＵＥ１およびＵＥ２のコンスタレーションが同じタイプ、すなわちＱＡＭである本事例では、ＵＥ１のコンスタレーション点を、複素ドメインにおいてのみ並進シフトおよび等方性スケーリングによってＵＥ２のコンスタレーション点に変換することができる。すなわち回転は必要とならない。例示する目的で、図１では、ＵＥ２が、送信すべき自身のデータを左上の象限内のコ���スタレーション点（斜線矢印で示す）にマッピングした状態でこれを示し、またＵＥ１が、送信すべき自身のデータを右上の象限内のコンスタレーション点（実線矢印で示す）にマッピングした状態でこれを示している。以下により詳細に概説しているように、受信機では、受信データ信号の重畳デマッピングを行う際に何ら問題が発生しない。これはなぜなら、図１の実線エラーが指している、受信機に着信するマッピング重畳に対し、一例として、たとえば重畳コンスタレーション点と同じ象限に存在するＵＥ２のＱＡＭコンスタレーション点に重畳信号点を関連付けることで、まずこのコンスタレーション点をＵＥ２のＱＡＭコンスタレーション点のいずれかにマッピングし、次いで以前にＵＥ２のデータ信号用に求めたＵＥ２のコンスタレーションにおけるＱＡＭコンスタレーション点に対して、重畳コンスタレーション点の相対位置を評価することで、重畳コンスタレーション点をＵＥ１のＱＡＭコンスタレーション点のうちの１つと関連付けることにより、逐次干渉除去を行うことができるからである。以下の説明では、関与しているＵＥの数が２つに限定されず、また他のコンポーネントコンスタレーションが、関与しているＵＥによって同様に使用され得ることを示している。
【００２０】
以下の説明は、関与しているＵＥ間に通常のＵＬ電力制御が既に設定されていると仮定した、位相シフト制御に関するものであるが、いくつかの実施形態では、電力割り当てを改善できる可能性についても言及している。
【００２１】
したがって、図１に関連して先に述べたように、後続の実施形態への導入部分を簡単に要約すると、概説した位相シフト補償によって、上りリンクでマルチユーザ重畳符号化を使用することが可能となることに留意すべきである。なおここで、たとえばＬＴＥ規格内では、かかる可能性を実現するためのソリューションが何ら存在しないことにも手短に言及しておく。
【００２２】
ＬＴＥの場合は、下りリンク（ＤＬ）用の重畳符号化について［１］に記載している。そこに記載しているように、マルチユーザ重畳送信（ＭＵＳＴ）は下りリンク方式として使用するものである。すなわち、マルチアクセス方式では、複数のユーザが、空間的に隔離されない状態で同じ物理リソース要素上で同時スケジュールされていることを前提としている。かかる非直交送信により、マルチユーザ（ＭＵ：Ｍｕｌｔｉ  Ｕｓｅｒ）システムの容量および／またはネットワーク内の接続装置の数について改善することができる。その概念は、送信側の基地局（ＢＳ）が個別のデータストリーム用のコンポジットコンスタレーションを形成するという点にある。受信機側では、逐次干渉除去に基づく受信機構造を使用することによって、データストリームを分離することができる。［１］で下りリンク（ＤＬ）方向に対して３つのＭＵＳＴカテゴリを指定しており、これについては表１を参照されたい。
【００２３】
2019531005.tif 000003
【００２４】
カテゴリ１の場合の送信側処理の例を図２［左］に示している。個別のチャネル符号化、レートマッチング（ＲＭ：ｒａｔｅ  ｍａｔｃｈｉｎｇ）、スクランブリング、および変調シンボルへのマッピングを行った後、ＭＵＳＴの近傍ＵＥおよびＭＵＳＴの遠方ＵＥの信号をそれぞれ、振幅重み
2019531005.tif 000004
および
2019531005.tif 000005
と結合する。ここで
2019531005.tif 000006
は、ＭＵＳＴの近傍ユーザの場合の送信電力比である。
【００２５】
図３は、ＭＵＳＴカテゴリ１の例示的なコンポジットコンスタレーションを示す。
【００２６】
なお、図３に示すコンポジットコンスタレーションは、重畳データ信号をデマッピングするために、図１の例示的な事例において受信機、すなわち基地局が使用するコンスタレーションに対応している。
【００２７】
図４を参照すると、マルチユーザ重畳符号化送信の概念が記載されている。図４は、本出願の一実施形態による受信機と、本出願の一実施形態による２つの送信機とを示す。参照符号１０を用いて受信機を示し、かつ参照符号１２を用いて送信機を示しており、またアルファベットの添え字を用いて個々の送信機を区別している。具体的には、受信機１０を基地局とする一方で、送信機１２ａから１２ｃを移動端末またはユーザエンティティとすることができる。各送信機１２が同様に見える可能性があるが、その内部構造に関しては、送信機１２ａのものを代表的に図４に示している。送信機１２ｂは、送信機１２ａに関して記載しているのと同じ内部構造および機能を有していてもよいが、以下に述べる実施形態によれば、送信機１２ｂは、送信機１２ａが有するいくつかの特有の機能を備えていなくてもよい。
【００２８】
後述する方法でマルチユーザ重畳符号化を用いて送信機１２ａおよび１２ｂからデータ信号を受信させるために、受信機１０を設けており、またこれに対して、各データ信号を互いに重畳する方法で、これらを受信する受信機１０に対して送信させるために、送信機１２ａおよび１２ｂを設けている。
【００２９】
図４に示すように、送信機１２ａ（したがって送信機１２ｂも）は、位相シフト推定参照信号を受信機１０に送信するように構成された、位相シフト推定参照信号（ＰＳＥＲＳ）送信部１４を備える。位相シフト推定参照信号により、受信機１０は、対応する送信機１２ａがマルチユーザ重畳符号化に従ってデータ信号を受信機１０に送信するために経由する、チャネル１６ａ間の位相シフトを推定することができる。同様に、送信機１２ｂも同じことを実行する。すなわちＰＳＥＲＳをその接続チャネル１６ｂを介して受信機１０に送信する。受信機１０は、チャネル１６ａと１６ｂとの間の位相シフトを推定するための位相シフト推定部１８を備える。このため、位相シフト推定部１８は、送信機１２ａおよび１２ｂからそれぞれ受信した位相シフト推定参照信号を評価する。後に、いかにして受信機１０が順次、かつ個別に自身において位相シフト推定参照信号を受信し、その際、異なる送信機１２ａ、１２ｂ、または受信機１０によってサポートされているが、たとえば送信機１２ａおよび１２ｂそれぞれのデータ信号間のマルチユーザ重畳符号化には関与していない別の任意の送信機１２ｃに、位相シフト推定参照信号を競合送信または同時送信させることなくその受信を達成できているかについて述べるものとする。なお、かかる例示的な別の受信機については、たとえば参照符号１２ｃを用いて図４に示している。
【００３０】
受信機１０は、位相シフト推定によって取得されるチャネル間の位相シフト情報を位相シフト推定部１８から受信し、かつ複数の送信機の少なくとも一方に位相シフト補償信号を送信する、位相シフト補償送信部信号２０を備える。図４では、送信部２０によって送信される位相シフト補償信号を、送信機１２ａが受信すると仮定している。このために、送信機１２ａは位相シフト補償信号受信部２２を備える。後に、位相シフト補償信号の実施形態について詳述するものとする。たとえば、信号化オーバーヘッドを低く抑えることを可能にする概念について説明する。これらの実施形態によれば、たとえば受信機１０から送信機１２ａへ、および必要に応じて受信機１０がサポートしているすべての送信機１２ａ〜１２ｃへと送信される、下りリンク制御情報（ＤＣＩ）メッセージおよび／または無線リソース制御（ＲＲＣ）メッセージ内に、この位相シフト補償信号を含めてもよい。
【００３１】
この位相シフト補償信号は、チャネル１６ａおよび１６ｂ間のあらゆる位相の低減または補償をもたらすように選択されている。かかる位相シフトはたとえば、受信機１０から送信機１２ａおよび１２ｂまでの距離がそれぞれ異なることに起因して発生している。図４に示すように、送信機１２ａは、位相シフト補償信号に従って位相シフトを補償した特定のコンスタレーションを使用して、送信すべきデータをマッピングするマッパー２４を備え、これにより、チャネル１６ａを介して最終的に受信機１０に送信すべきデータ信号を、送信機１２ｂから送信される対応するデータ信号によって重畳する方法で得ている。たとえば、データマッパー２４は、一例として四位相偏移変調（ＱＰＳＫ：Ｑｕａｄｒａｔｕｒｅ  Ｐｈａｓｅ  Ｓｈｉｆｔ  Ｋｅｙｉｎｇ）、およびＱＡＭなどの特定のチャネル状態に基づいて選択される特定のコンスタレーションに対して、送信すべきデータ２６をマッピングする。ただしデータマッパー２４は、以下に詳述しているように、自身のチャネル１６ａと、マルチユーザ重畳のパートナーである１２ｂのチャネル１６ｂとの間の位相シフトに配慮して、自身のコンスタレーションを回転させている。次いで、このようにして取得したデータ信号２８を使用して、たとえば送信機１２ａによって受信機１０に最終的に送信されるＯＦＤＭもしくはシングルキャリア周波数分割多重（ＳＣ−ＦＤＭ：Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ）または直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）もしくはシングルキャリア周波数分割多重接続（ＳＣ−ＦＤＭＡ：ｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）信号の特定のＯＦＤＭサブキャリアを形成し、その結果、言及したサブキャリアが、送信機１２ｂの対応するマッパーがそれ自身のデータをマッピングするサブキャリアと一致するようにしている。
【００３２】
受信機１０はデマッパー３０を備え、このデマッパー３０は、重畳データ信号、すなわち図４において３２で示している、対応するＯＦＤＭサブキャリアにデータ信号を重畳したものを受信し、これは複素平面内の特定の点を指しており、またデマッピングを行うことにより、各データ信号、すなわち送信機１２ａから送信されるデータ信号２８と、送信機１２ｂから送信される対応するデータ信号とに対する情報データを取得している。このために、デマッパー３０は逐次干渉除去（ＳＩＣ：Ｓｕｃｃｅｓｓｉｖｅ  Ｉｎｔｅｒｆｅｒｅｎｃｅ  Ｃａｎｃｅｌｌａｔｉｏｎ）を実行する。すなわち、たとえば図１に関連して上述したデマッピングを順次実行する。つまり、デマッパー３０は、たとえば最初に「より強度の高い」データ信号の情報データ、すなわち「より近傍にある」送信機からのデータ信号を取得し、次いで「より遠方の」送信機の情報データを導出する。デマッピング装置３０は、情報データが１または複数のビットである場合はハードデマッピング装置となってもよく、あるいは情報データが０と１との間（両方を含む）の値である場合はソフトデマッピング装置となってもよい。このようにして、デマッパー３０によって送信機１２ａおよび１２ｂに対してそれぞれ得られた情報データ３４に、次いで、たとえばデインタリービング、前方誤り訂正、スクランブル解析、またはデパンクチャリングなど、各送信機１２ａおよび１２ｂに対してそれぞれ別々に実行されるものを含む、チャネル復号化を例とする処理をさらに施してもよい。最終的にこれは、送信機１２ａが対応するチャネルコーダ、インターリーバ、スクランブラ、および／またはパンクチャ・アップストリームデータ・マッパー２４を備えていてもよく、また受信機１０がアップストリームデマッパー３０、すなわち受信ＯＦＤＭ、ＳＣ−ＦＤＭまたはＯＦＤＭＡもしくはＳＣ−ＦＤＭＡシンボルをＯＦＤＭサブキャリアへと分解し、そのうちの１つは重畳データ信号を搬送している形態の分解装置を備えていてもよいことを意味する。
【００３３】
上記とは異なって記載されているが、以下の説明から、送信機１２ｂが位相シフト補償信号受信部を備えていなくてもよく、かつ／または任意の位相シフト補償信号のデマッピングに配慮するデマッパー２４を備えていなくてもよいことが明らかとなる。むしろ送信機１２ｂは、送信機１２ａがデータ信号チャネル１６ｂ上でピギーバック方式で別のデータ信号を送信し、この信号が、次いで受信機１０において、上述した方法でマルチユーザ重畳符号化（復号化）処理を受けるということを認識さえしていなくてもよい。
【００３４】
図５は、本出願の別の実施形態による、受信機１０と送信機１２ａとを示す。ここで、受信機１０は、電力比情報を取得するために、複数の送信機間の電力比を推定するように構成された電力比推定部３６をさらに備える。送信部３８は、電力比情報によって異なる電力比補償信号を、送信機１２ａおよび１２ｂの少なくとも一方に送信している。図５は、送信機１２ａが、対応する電力比補償信号受信部４０を備えていることを示しているが、既に上記で示したように、これは単なる一例に過ぎず、したがって、送信機１２ｂが、対応する受信部４０を代替的にまたは付加的に備えていてもよい。送信機１２ａは、電力比補償信号に応じてデータ信号２８を送信する際の電力を設定する。実際には、この電力の設定は、データ信号２８のサブキャリアをその一部として有する、サブキャリアのセット全体に影響を及ぼし得る。つまり、マッパー２４がデータ２６をマッピングしたものを含む複数のＯＦＤＭサブキャリアを搬送しているＯＦＤＭもしくはＳＣ−ＦＤＭまたはＯＦＤＭＡ  もしくはＳＣ−ＦＤＭＡシンボル全体が、受信部４０によって受信される電力比補償信号に従って行われる電力設定の対象となる。
【００３５】
上記から明らかなように、送信部３８によって送信され、受信部４０によって受信される電力比補償信号を、マルチユーザ重畳符号化に関与するデータ信号が受信機１０において互いに重畳する際の電力と、たとえばデマッパー３０が重畳データ信号をデマッピングするときに使用するコンポジットコンスタレーションのコンスタレーション点が、複素ドメイン内に最も効率的に分布されることを可能にする、所定の目標電力比との偏差を低減するために設定している。
【００３６】
以下の記載では、これまでに説明したマルチユーザ重畳符号化の概念に関係する種々の態様に従って実施することができる、実施態様の詳細を示す本出願の特定の実施形態に関する説明を続けるものとする。以下に記載する態様は、その限りにおいて、図４および図５それぞれに関連して記載している実施形態と個々に、または組み合わせ形式において組み合わせることができる。これらの態様を構成するにあたり、これらを複数のセクションにまとめるものとする。
【００３７】
［Ｅ１］位相シフト推定
以下の詳細および実施形態は位相シフト推定に関する。単に例示する目的で、マルチユーザ重畳符号化が狭帯域モノのインターネットの上りリンク（ＮＢ−Ｉ０Ｔ  ＵＬ）キャリアのＬＴＥ  ＵＥ間を対象とすると仮定している。ただし、以下に述べる詳細を、他の任意の例に容易に置き換えることができる。より正確には、以下で、ＮＢ−ＩＯＴ  ＵＬキャリアのＵＬでＭＵＳＴカテゴリ１の送信を実現するために、同時スケジュールされたＬＴＥ−ＵＥおよびＮＢ−ＩＯＴ装置のコンスタレーション間における相対位相オフセットの推定について説明する。この推定を、ＮＢ−ＩＯＴ  ＵＬキャリアのＬＴＥ−ＵＥの推定送信によって実行している。
【００３８】
［Ｅ１．１］位相シフト推定参照信号（ＰＳＥＲＳ）としてのＰＲＡＣＨの使用
具体的には、ＮＢ−ＩＯＴ  ＵＬをＭＵＳＴの「プレイグラウンド」として例示的に使用するとき、１６０ｋＨｚのＭ−ＰＲＡＣＨにおけるＬＴＥ  ＵＥのＰＲＡＣＨをＰＳＥＲＳとして使用することができる。換言すれば、ＮＢ−ＩＯＴキャリアにおけるＬＴＥ  ＵＥの位相オフセットを、Ｍ−ＰＲＡＣＨを活用することによって推定することができる。ＬＴＥ  ＵＥは、基地局、すなわちｅＮＢにおける位相オフセットを推定できるように、Ｍ−ＰＲＡＣＨにおけるＰＲＡＣＨシーケンス、ＤＭＲＳまたはＳＲＳに基づき得る位相シフト推定参照信号（ＰＳＥＲＳ）を送信する。この参照信号は次いで１６０ｋＨｚの帯域幅に制限されるが、これは［２］に記載しているように、Ｍ−ＰＲＡＣＨの帯域幅に対応している。
【００３９】
図６は、ＮＢ−ＩｏＴのＭ−ＰＲＡＣＨにおけるＬＴＥ−ＳＲＳのオーバレイを示す。関与中のＵＥから送信されるこれらのＰＲＡＣＨ信号に基づいて、図７に示すように、ここで位相オフセットを求めることができる。図７では、チャネル位相による受信コンポーネントデータ信号のコンスタレーションへの影響の様子を個々に示している。データ信号のコンスタレーションを図７の左側に示しているが、このデータ信号は、右上のＱＡＭコンスタレーション点が角度β１となるように角度β１−α１をもって着信し、その一方で第２のデータ信号のＱＡＭコンスタレーションは、右上のＱＡＭコンスタレーション点が角度β２で発生するように、角度β２−α２だけ傾斜しており、その際、両方のデータ信号間に対する位相オフセットまたは位相シフトはβ１−β２となっている。
【００４０】
図４および図５の記載に関連して、これは、図４および図５に関連して前述したＰＳＥＲＳが、ＰＲＡＣＨ位相において送信されるＰＲＡＣＨシーケンス、ＤＭＲＳまたはＳＲＳであり得ることを意味している。受信機１０が個々の送信機からＰＳＥＲＳを別々に受信するために、受信機１０がサポートする送信機１２を成功裏に制御する方法の詳細について、以下にさらに記載するものとする。
【００４１】
［Ｅ１．１．１］発生し得るＲＡ試行への干渉回避
先に言及したＮＢ−ＩＯＴキャリア上の場合など、ＰＲＡＣＨ位相においていまだサポートされていない送信機で発生し得るランダムアクセス（ＲＡ：Ｒａｎｄｏｍ  Ａｃｃｅｓｓ）試行への干渉を回避するために、以下の手段を設けることができる。ＰＲＡＣＨはネットワークへの正確な同期（タイミングアドバンス）なしに実行できるので、干渉を回避するためにＰＲＡＣＨの最後にガードが必要となる。ここで、発生し得るＮＢ−ＩＯＴのランダムアクセス（ＲＡ）試行への干渉を回避するために、チャネル推定または位相推定において正確に同期された、すなわち既にサポートされたＬＴＥ  ＵＥが、このガードインターバルを使用することができる。
【００４２】
図４および図５の記載に関連して、これは、ＰＳＥＲＳ送信部１４がＰＲＡＣＨ位相の最後に自身のＰＳＥＲＳを送信できることを意味しており、その際受信機１０によるサービスにランダムにアクセスしようとする送信機は、ランダムアクセスのために自身のＰＲＡＣＨを送信しない。
【００４３】
［Ｅ１．２］  ｅＮＢサポート式ＬＴＥ−ＵＥ用ＰＲＡＣＨまたはＲＳ
基地局、すなわちｅＮＢにより、ＬＴＥ  ＵＥが自身のセルをＮＢ−ＩＯＴのＵＬキャリア上で送信するのをサポートできる可能性がある。この形式を使用して、Ｅ１．１で提案しているように、Ｍ−ＰＲＡＣＨまたは予約されたＮＢ−ＩＯＴのＵＬリソースのいずれかで、位相シフト推定を実行することができる。また、この概念を使用して、ＮＢ−ＩＯＴのＵＬキャリア上の予約されたリソースでリソースブロック（ＲＢ：Ｒｅｓｏｕｒｃｅ  Ｂｌｏｃｋ）帯域幅全体を利用することができる。したがって、ＰＳＥＲＳ送信の周波数帯域および時間を記述している専用のＤＣＩフォーマットを、この目的のために使用することができる。ＤＣＩフォーマット４に基づく例示的なＤＣＩフォーマットを表２に提示している。ここで、「ＲＳ送信のためのＯＦＤＭシンボル時間インデックス」は、ＬＴＥ  ＵＥが自身のＰＳＥＲＳを送信すべきＯＦＤＭシンボルインデックスを記述している。「ＰＳＥＲＳフォーマットインジケータ」は、ＬＴＥ  ＵＥが位相シフト推定を行うために送信すべきＰＳＥＲＳを記述している。
【００４４】
2019531005.tif 000007
【００４５】
つまりこれは、図４および図５の実施形態を参照すると、受信機１０が送信機１２ａなどのＰＳＥＲＳを送信すべき送信機に対して、各送信機が送信すべき時間と、必要に応じて送信すべきＰＳＥＲＳ信号とを示すメッセージを送信してもよいということを意味する。
【００４６】
［Ｅ１．３］反復的な位相オフセットの適応
原理上は、位相シフト補償信号がその受信者、すなわち図４および図５の場合には送信機１２ａに、重畳データ信号間に位相シフトがない状態を近似するように指示するためのいくつかの方法が存在する。たとえば、位相シフト補償信号は、送信すべきデータがマッピングされる各コンスタレーションを、マッパー２４が、複素平面のアクセスなどの固定アクセスに対して回転させる際に使用すべき位相または角度回転を示すことができる。あるいは、位相オフセットまたは位相シフトを増分更新情報としてシグナリングすることができ、この情報は、送信すべきデータ２６をマッピングするときに使用するコンスタレーションの位相または回転を、以前送信したデータのマッピング操作を行うときに以前使用した位相または回転に対して別途変更する方法について、図４および図５の送信機１２ａなどの送信機に指示を出すものである。
【００４７】
これをＬＴＥの例に置き換えると、ＬＴＥ  ＵＥは、ＩＯＴキャリア上で位相オフセットなしで送信することができ、ここで位相は、増分更新情報によって反復的に補償される。第１のステップでは、ＬＴＥ  ＵＥはＮＢ−ＩＯＴキャリア上で送信を開始し、その後第２のステップでは、基地局、すなわちｅＮＢが位相オフセットを推定し、位相更新の方向と、必要に応じてステップサイズとをシグナリングする。図８は、位相補償状態に達するまで２回の反復を伴う一定チャネル、すなわちチャネル間に一定の位相オフセットを有するチャネルの状況を示す。左側では、第２のデータ信号のコンスタレーション（斜線なし）が第１のデータ信号のコンスタレーション（斜線を付した円）に対して回転している第１の状況を示している。第１の操作の後の状況は、図８の中央に示しているとおりである。ここでは、第２のデータ信号のコンスタレーションを第１の位相オフセット量だけ回転させており、さらなる（最終）反復を実行した後の状況を右側に示している。ここで、第２のデータ信号のコンスタレーションを、一定量（ここでは、例示的に第１の反復と同量）だけ再度回転させている。ここで、最終反復の後、両方のコンスタレーション、すなわち第１および第２のデータ信号のコンスタレーションは、互いに正しく位置合わせされている。
【００４８】
［Ｅ２］位相シフト補償
基地局または受信機は、上述したように、以前の上りリンク送信によって、異なる送信機またはＵＥの相対位相オフセットまたはシフトを推定することができる。ＮＢ−ＩＯＴキャリアでは、セクションＥ１において上記で説明した実行可能なソリューションを適用して、ＩＯＴ装置とＬＴＥ  ＵＥとの間の相対位相オフセットまたはシフトを推定することができる。推定した相対オフセットを、たとえば、その位相オフセットを適応させる１つのＵＥにシグナリングする。図４および図５を参照すると、これを行うための対応する信号が、位相シフト補償信号として示されている。この信号の送信は、後述するように、ＤＣＩシグナリングまたはＲＲＣメッセージングによって行うことができる。
【００４９】
［Ｅ２．１］位相オフセットをシグナリングするための新規のＤＣＩフォーマット
通常のＬＴＥとは対照的に、新規のＤＣＩフォーマットは、図４および図５の送信機１２ａなどの、対応するＵＥに対して異なる帯域の位相オフセットまたはシフトをシグナリングするために使用することができる。具体的には、ＤＣＩフォーマットは、位相情報がＤＣＩメッセージで提供されるサブバンドごとに、位相オフセットまたはシフトをシグナリングすることができる。ＤＣＩメッセージの一例を下記の表３に示す。つまり、ここで図４および図５を考慮されたい。マルチユーザ重畳符号化と、対応する位相シフト推定および補償とを、特定の周波数範囲において実行することができ、表３で提案しているＤＣＩフォーマットは、この周波数範囲内の各サブバンドに対する位相オフセットまたはシフトを個別にシグナリングする。サブバンドの数は、表３ではＫとして示している。つまりＫは、位相シフト推定および補償を伴うマルチユーザ重畳符号化の概念が実行される１つのリソースブロックに対応する、サブバンドの数を示している。ＤＣＩメッセージが属するリソースブロックＲＢは、ＬＴＥ  ＵＥなどの送信機１２ａが属する送信機のグループに対して、サブキャリアのスペクトルが割り当てられる単位に対応している。Ｋは、オーバレイされた非適応のＵＥがＬＴＥ  ＵＥであるか、またはＮＢ−ＩＯＴであるかに依存する。オーバレイされた非適応のＵＥとは、たとえば位相シフト補償信号受信部と、位相シフト補償依存のマッパーとを備えていない場合の、図４および図５の送信機１２ｂである。オーバレイされたＵＥがＮＢ−ＩＯＴ装置である場合、サブバンドはＩＯＴキャリアのリソースブロックＲＢの周波数帯域幅に対応し、したがってＬＴＥ  ＵＥの周波数帯域幅の６分の１に対応する。  ＤＣＩメッセージが、相対位相オフセット情報を有する位相情報ブロックフィールドを含むことが、ここで示唆されている。
【００５０】
つまり、送信機１２ａが、第１のＯＦＤＭシンボルサブキャリアの（ＭＵＳＴ）バンドを介してＭＵＳＴの対象となるデータ信号を送信し、送信機１２ｂが、スペクトル的に配置された第２のＯＦＤＭシンボルサブキャリアを介してＭＵＳＴの対象となるデータ信号を送信すると仮定すると、ここで第１のＯＦＤＭ信号は、第２のＯＦＤＭ信号と比較してより短く（それでも、より頻繁に送信される）、かつサブキャリアのスペクトル密度がより高くなっている。送信機１２ａは、送信機１２ｂからの、配置された対応する第２のＯＦＤＭシンボルサブキャリアとの重畳が想定される、スペクトル的に隣接する第１のＯＦＤＭシンボルサブキャリアの帯域に、位相シフト補償信号に従って位相シフトを補償したそれぞれのコンスタレーションを使用して、自身のデータをマッピングする。これに対して、送信機１２ｂは、位相シフト補償信号に従って、位相シフトなしでマッピングを実行する。ここで、位相シフト補償信号は、スペクトルサブバンドごとに１つの位相シフト値（表３の位相情報ブロックにおけるサイズＰのＫ値）を含み、これに対して、ＭＵＳＴ内で、送信機１２ａの第１のＯＦＤＭシンボルが属するキャリアの物理リソースブロックが、送信機１２ｂの第２のＯＦＤＭシンボルが属するキャリアの物理リソースブロックによってさらに細分される。たとえば、送信機１２ｂの６つのサブバンド、すなわち６つの物理リソースブロック（ＰＲＢ：ｐｈｙｓｉｃａｌ  ｒｅｓｏｕｒｃｅ  ｂｌｏｃｋ）は、ＭＵＳＴバンドに属する各ＰＲＢにスペクトル的に適応し得る。
【００５１】
［Ｅ２．１．１］同じＵＥにスケジュールされた隣接帯域におけるオーバーヘッドの低減
ｅＮＢ、すなわち図４および図５の場合には基地局または受信機によるＲＢのスケジュール方法に応じて、隣接帯域におけるＫを削減することができる。送信機１２ｂなどの、オーバレイされた非適応のＵＥが、ＭＵＳＴ  ＵＥによってオーバレイされる予定の隣接帯域にスケジュールされる場合、チャネル状態が適切であれば、シグナリングオーバーヘッドを低減することができる。
【００５２】
［Ｅ．２．１．２］高速の位相適応および低速の位相適応によるオーバーヘッドの低減
ＤＣＩメッセージにおけるサブバンドごとの相対位相オフセット情報の粒度Ｐに関して、その一例を以下の表３で提示しているが、この粒度Ｐを、高速適応粒度と低速適応粒度とに分類することができる。低速適応の場合はより高い粒度となり、これを使用して、発生し得るすべての相対位相オフセットを記述することができる。高速適応の場合はより低い粒度となり、したがっオーバーヘッドが低減され、これを使用して、位相オフセットの限定された補正を記述することができる。
【００５３】
つまり、位相シフト補償信号を、第１のタイプのメッセージおよび第２のタイプのメッセージ内で送信することができ、第１のタイプのメッセージは、第２のタイプのメッセージと比較して送信頻度がより少なく、かつ第１のタイプのメッセージにおける位相シフト補償信号は、第２のタイプのメッセージにおける位相シフト補償信号によって記述することのできないシグナリング位相オフセットを可能にしている。これはたとえば、第１のタイプのメッセージにおける記述可能な位相シフト範囲が、第２のタイプのメッセージにおける記述可能な位相シフト範囲と比較してより広くなっているためであり、その際、第１のタイプのメッセージの場合は、記述可能な位相シフトの数が、第２のタイプのメッセージと比較して同じであるか、あるいはより多くなっている。つまり、第２のメッセージと比較して、量子化ステップサイズが大きくなることが第１のタイプのメッセージにおける位相シフト補償信号の基盤となり得、また第１のタイプのメッセージにおける位相シフト補償信号のビット長は、第２のタイプのメッセージと比較すると長くなる可能性がある。
【００５４】
［Ｅ２．１．３］位相情報ブロックのフォーマット
図３にさらに示している変形形態によれば、インジケータ、すなわち位相情報ブロックのフォーマットは、位相情報ブロックのフォーマットを記述することができる。低速および高速両方の場合に対して別々のＤＣＩフォーマットを導入する代わりに、このインジケータを使用して、低速の位相適応ＤＣＩと高速の位相適応ＤＣＩとを区別することができる。このインジケータはさらに、Ｅ２．１．１に記載した、隣接帯域におけるオーバーヘッドを低減するのに使用できるパターンを記述することができる。
【００５５】
換言すれば、位相シフト補償信号は、インジケータフィールドと位相シフトフィールドとを含むメッセージ内で送信することができ、インジケータフィールド内の値は、位相シフトフィールド内の値と、量子化、および／またはその値を増分補正もしくは更新、あるいはマッパー２４によるマッピング時に直近で適用された位相シフトの相対補正として、またはそのままマッピングに使用される絶対位相シフトとして解釈するなどの、位相シフト補償に使用される位相シフト値との間のマッピングを変更する。
【００５６】
［Ｅ２．１．４］  送信電力制御（ＴＰＣ：Ｔｒａｎｓｍｉｔ  Ｐｏｗｅｒ  Ｃｏｎｔｒｏｌ）のためのさらなる粒度
以下の表３に例示しているＤＣＩメッセージは、ＤＣＩメッセージのそれぞれの受信者によって使用される送信電力をシグナリングするビットの粒度を、レガシーＴＰＣフィールドと比較してさらに高めることにより、上りリンク送信電力の微調整を確実に行うことができることを示している。したがって、たとえば、アグリゲートキャリアを介して基地局と通信する送信機または移動端末もしくはＵＥの場合、上記に概説したようなマルチユーザ重畳符号化が実行されるキャリアを制御するＤＣＩメッセージが、アンカーキャリアを例とする他のキャリアを制御しているＤＣＩメッセージと比較して、より高いビット粒度で送信電力を制御することになり得る。
【００５７】
2019531005.tif 000008
【００５８】
［Ｅ．２．２］位相オフセットを通知するためのＲＲＣシグナリング
マルチユーザ重畳符号化ＵＥにおけるこの位相オフセットまたはシフトを構成するための、ＲＲＣシグナリングを供給してもよい。これは、ＲＲＣ物理Ｃｏｎｆｉｇｕｒａｔｉｏｎ  Ｄｅｄｉｃａｔｅｄ（ＲＲＣ  ＰｈｙｓｉｃａｌＣｏｎｆｉｇＤｅｄｉｃａｔｅｄ）メッセージを使用して、実行することができる。例示的なシグナリング構造を図９および図１０に示している。
【００５９】
［Ｅ２．３］  ＰＤＣＣＨにおけるＨＡＲＱ  ＡＣＫ／ＮＡＣＫのような高速の位相適応シグナリング
高速の反復位相適応は、ＤＣＩメッセージ内でデルタを送信することによっても、物理ハイブリッド自動反復要求インジケータチャネル（ＰＨＩＣＨ：Ｐｈｙｓｉｃａｌ  Ｈｙｂｒｉｄ  ＡＣＫ／ＮＡＣＫ  Ｉｎｄｉｃａｔｏｒ  Ｃｈａｎｎｅｌ）同様の別個のチャネルを使用することによっても、物理下りリンク制御チャネル（ＰＤＣＣＨ：Ｐｈｙｓｉｃａｌ  ｄｏｗｎｌｉｎｋ  Ｃｏｎｔｒｏｌ  Ｃｈａｎｎｅｌ）を介して実行することができる。ここで、１または複数のビットが位相をシフトさせる方向または量を通知する。別の選択肢としては、たとえばＰＩ制御器の形態など、シフトさせるにあたり、同じ方向が数回示される場合に、デルタを増加させることが挙げられる。
【００６０】
例示的な実装例としては、マスター情報ブロック（ＭＩＢ：Ｍａｓｔｅｒ  Ｉｎｆｏｒｍａｔｉｏｎ  Ｂｌｏｃｋ）システム情報とすることができ、ここでは３ビットが物理位相インジケータチャネル（ＰＰＩＣＨ：Ｐｈｙｓｉｃａｌ  Ｐｈａｓｅ  ｉｎｄｉｃａｔｏｒ  Ｃｈａｎｎｅｌ）情報用に供給される。すなわち、標準または拡張ＰＰＩＣＨを示すための１ビットと、ＰＰＩＣＨのＮｇ値を示すための２ビットとすることができる。
【００６１】
［Ｅ．２．４］モデルベースの位相シグナリング
［Ｅ２．４．１］所定の位相オフセットを追跡するように、あるモデルを訓練することができる。使用するモデルおよびモデルパラメータは、ｅＮＢ、すなわち受信機から送信機１２ａなどの各ＵＥにシグナリングすることができる。たとえば、基地局で実行されている適切なモデルおよびアルゴリズムのセットを標準化することができる。
【００６２】
［Ｅ２．４．２］時間および／または周波数における位相回転の予測を適用し、かつこれを使用して、予測アルゴリズムの識別子と共に信号化情報として適用された予測手法のための重み付け更新を行うことができる。次いで、この識別子をＵＥにおいて使用して、予測の信頼性を分類することができる。すなわち、これによって予想されるエラーを補償したり、あるいは送信前に使用すべき位相オフセットを事前調整したりすることができる。ＰＰＩＣＨ上の位相情報の位置は、ＭＵＳＴリソース割り当てと、実行可能な別の巡回シフトとによって非明示的にシグナリングされる。
【００６３】
［Ｅ３］  干渉を受けないＲＳの受信のための専用サブフレーム
ＤＭＲＳおよびＳＲＳを干渉を受けずに受信するために、図４および図５の基地局またはｅＮＢまたは受信機は、ＯＦＤＭシンボルを空にするようにいくつかのＵＥに指示することができ、これにより、図４および図５の送信機１２ａなどの１つのＵＥのみが、図１１に示すものと同じ周波数−時間リソースで送信することになる。このメカニズムを使用して、周波数分割多重化（ＦＤＭ：Ｆｒｅｑｕｅｎｃｙ  Ｄｉｖｉｓｉｏｎ  Ｍｕｌｔｉｐｌｅｘｉｎｇ）および／または時分割多重化（ＴＤＭ：Ｔｉｍｅ  Ｄｉｖｉｓｉｏｎ  Ｍｕｌｔｉｐｌｅｘｉｎｇ）方式でＤＭＲＳおよびＳＲＳを多重化することができる。ＤＭＲＳまたはＳＲＳがＬＴＥ  ＵＥに対して単一のＯＦＤＭシンボルを占有する一方で、ＮＢ−ＩＯＴ  ＵＬキャリア内のＤＭＲＳシンボルは、後にＬＴＥキャリア内の６つのＯＦＤＭシンボルに及ぶようになる。したがって、ＬＴＥ  ＵＥは、図１２に示すように６つのＯＦＤＭシンボルを空にしなければならない。
【００６４】
［Ｅ３．１］サブフレームの可変ブランキングのためのＤＣＩフォーマット
位相ブランキングパターンのインデックスを含むＤＣＩフォーマットを、表４に例示的に示している。ＤＭＲＳおよびＳＲＳブランキングにおける例示的なブランキングパターンを図１３に示している。
【００６５】
2019531005.tif 000009
【００６６】
［Ｅ３．２］半永続ブランキングを設定するためのＲＲＣシグナリング
ＤＭＲＳまたは同様のものを含むＲＳは定期的に発生することが多いため、半永続ブランキング構成を使用して、制御オーバーヘッドを低減することができる。この目的のために、半永続ブランキングを構成するためのＲＲＣシグナリングを図１４に例示的に示している。ブランキングサブフレーム間隔ＵＬ（ｂｌａｎｋｉｎｇＳｕｂｆｒａｍｅＩｎｔｅｒｖａｌＵＬ）は、サブフレーム内の間隔を記述している。ブランキング・サブフレーム・パターン（ｂｌａｎｋｉｎｇＳｕｂｆｒａｍｅＰａｔｔｅｒｎ）は、ブランキングに使用すべきパターンを示している。
【００６７】
ここでも、送信機１２ａが、第１のＯＦＤＭシンボルサブキャリアの（ＭＵＳＴ）バンドを介してＭＵＳＴの対象となるデータ信号を送信し、送信機１２ｂが、スペクトル的に配置された第２のＯＦＤＭシンボルサブキャリアを介してＭＵＳＴの対象となるデータ信号を送信すると仮定すると、第１のＯＦＤＭ信号は、第２のＯＦＤＭ信号と比較してより短く（それでも、より頻繁に送信される）、かつサブキャリアのスペクトル密度がより低くなっている。送信機１２ａは、送信機１２ｂからの、配置された対応する第２のＯＦＤＭシンボルサブキャリアとの重畳が想定される、スペクトル的に隣接する第１のＯＦＤＭシンボルサブキャリアの帯域に、位相シフト補償信号に従って位相シフトを補償したそれぞれのコンスタレーションを使用して、自身のデータをマッピングする。これに対して、送信機１２ｂは、位相シフト補償信号に従って、位相シフトなしでマッピングを実行する。次いで、送信機１２ｂが、干渉を受けることなくチャネル推定および／または位相オフセット推定のために自身のＲＳを送信できるように、ＯＦＤＭ送信をブランキングするタイミングに関して送信機１２ａに指示するブランキング信号を使用して、送信機１２ａを受信機１０によって制御することができる。送信機１２ｂの参照信号は、送信機１２ａの参照信号よりも長くなる。換言すれば、受信機は、チャネル推定を行うために、送信機１２ｂによって送信されるチャネル推定参照信号の少なくともサブセットに干渉させないように、ＯＦＤＭ送信をブランキングするタイミングに関して送信機１２ａに指示するブランキングスケジューリング信号を第１の送信機１２ａに送信する。これに対して、送信機１２ｂは、自身のリソースを送信機１２ａとコアロケーションしていることを認識さえしていない可能性がある。チャネル推定参照信号は、各送信機からの上りリンク送信を正しく受信するために、散在パイロットシンボルによるペイロード送信を伴うＤＭＲＳ、および／または個々のチャネル状態を推定して上りリンクスケジューリングを決定するために、すべての送信機によって断続的に送信されるＳＲＳを含み得る。次いで受信機は、送信機１２ｂによって送信される第２のチャネル推定参照信号に基づいて、チャネル推定を実行する。受信機１０は、送信機１２ａから送信される第１のチャネル推定参照信号でも同様に実行することになるが、この場合の参照信号は、送信機１２ｂの第２のチャネル推定参照信号よりも短いものとなっている。しかしながら、チャネル推定、すなわち送信機１２ａのチャネルおよび送信機１２ｂのチャネルをそれぞれ推定するために、チャネル推定参照信号を使用するにあたり、これが送信機１２ａおよび１２ｂからの同時送信であっても可能である。しかしながら、送信機１２ａに自身の送信をブランキングするように指示する第２のチャネル推定参照信号のサブセットは、位相シフト推定を行うための位相シフト推定参照信号としても使用されている。たとえば、受信機１０は、一方で送信機１２ａがブランキングを実行する際に参照した送信機１２ｂからの上述のチャネル推定参照信号と、他方で、一例として以前に概説したように、送信機１２ｂのＰＲＡＣＨにおいて送信機１２ａによって送信される位相シフト推定参照信号との評価に基づいて、位相シフトを決定している。当然のことながら、両方の送信機１２ａおよび１２ｂは受信機１０からのそれぞれのブランキング指示の受信者であり得、また位相シフト推定を行う際に、両方の送信機のチャネル推定参照信号が干渉を受けない状態で利用できるように、それぞれの他方の送信機によってチャネル推定参照信号が送信されている間に、当該送信をブランキングする。当然のことながら、送信機１２ａおよび１２ｂが同じＯＦＤＭシンボル長およびサブキャリアのスペクトル密度で動作する場合には、同じ概念を使用してもよく、またこれを、より多くのＭＵＳＴ送信機に置き換えることができる。ブランキングスケジューリング信号を下りリンク制御情報（ＤＣＩ）メッセージ内に含めるか、かつ／または無線リソース制御（ＲＲＣ）メッセージを介してこれを送信してもよい。ＲＲＣメッセージを使用して、第１の送信機１２ａが別の何らかのメッセージによって解除されるまで、周期的にＯＦＤＭ送信をブランキングする指示を受けるように、サブフレーム単位で間隔を構成することができる。
【００６８】
［Ｅ４］マルチユーザＢＰＳＫコンスタレーションの重畳
図３に示すようにＱＡＭ信号を重畳すると、同じＵＬリソースに２つのＵＥを割り当てることができ、たとえば、  ２ビット／  ＵＥ  ／コンスタレーションの状態の１６ＱＡＭコンスタレーションに２つのＵＥを設けることができる。［Ｅ４］の概念は、図１５に示しているように、１ビット／  ＵＥ  ／コンスタレーションの状態の１６ＱＡＭコンスタレーションにおいて４つのＵＥをスケジューリングするために、ＢＰＳＫコンスタレーションを使用することにある。
【００６９】
１６ＱＡＭラスタへ４つのＢＰＳＫを重畳する際、［Ｅ２］における位相シフト補償に加えて、電力の適応とＢＰＳＫ信号の回転とが必要となる。２つのＵＥは回転されず、電力ドメインにおいてのみ適応される。他の２つのＵＥは９０°で回転している。既に上述したように、通常のＵＬ電力制御を用いて電力割り当てを開始することができる。
ＢＰＳＫ信号の回転については、ＲＲＣ物理チャネル再構成において特定のＵＥにシグナリングする必要がある。
【００７０】
ＵＥの数は、複数のＢＰＳＫ信号の重畳によって受信機側でより多値数の高いコンスタレーション（１６ＱＡＭ以上）を使用することにより、増加させることができる（たとえば、２５６ＱＡＭにおいて８つのＵＥ）。
【００７１】
図４および図５を参照されたい。ここで、ＭＵＳＴに関与しているデータ信号は、Ｎ＞１のデータ信号、すなわち、これまでに図４および図５で述べているように２つ、またはそれより多くてもよい。目標比を、ａ１、ａ２＜ａ３、ａ４＜…＜ａＮである第１から第Ｎのデータ信号においてａ１：ａ２：…：ａＮとしていてもよい。第（２ｎ＋１）のデータ信号のＢＰＳＫコンスタレーションを、第（２（ｎ＋１））のデータ信号のデータ信号のＢＰＳＫコンスタレーションに対して−１＜ｎ＜Ｎ／２で回転させる形態で、各データ信号を別々にＢＰＳＫ変調している。受信機は、重畳をデマッピングするために、第Ｎから第１のデータ信号のＢＰＳＫコンスタレーションを順に１つずつ再帰的にコピーすることから生じる、コンポーネントコンスタレーションを使用する。
【００７２】
図１６は、システムであって、２つの基地局ＢＳ１およびＢＳ２を備え、したがって、図４および図５の状況では受信機をそれぞれ形成し、かつＵＥ１およびＵＥ２の２つのＵＥを備え、すなわち図４および５の状況では送信機をそれぞれ形成しているシステムを示す。図１６は、ＭＵＳＴ  ＵＬ送信を可能にするために上記で教示した概念を使用して、セル間干渉状況を改善してもよいことを示している。その他の場合で、ＵＥ１によるＢＳ１へのＵＬ送信に使用されるサブキャリアなどの特定のスペクトルリソースが、ＵＥ２などのＢＳ２によってサポートされているＵＥに対してブロックまたは割り当てられないまま維持される状況では、基地局ＢＳ１およびＢＳ２は、ＵＥ１およびＵＥ２によってＢＳ１およびＢＳ２にＵＬ送信がそれぞれ行われるように、これらにこうしたスペクトルリソースを割り当てることができる。すなわち図１６では、ＵＥ１はＢＳ１によってサポートされ、かつＢＳ１に対してＵＬ送信を行い、またＵＥ２はＢＳ２によってサポートされ、かつＢＳ２に対してＵＬ送信を行っている。ＵＥ１はＢＳ１の近傍にあり、ＢＳ２から遠く離間しているので、ＵＥ２からＢＳ２へのＵＬ送信に干渉しないが、ＵＥ２はＢＳ１およびＢＳ２から等しく離間しているので、ＵＥ１からＢＳ１へのＵＬ送信に干渉することになる。ここで考察しているＵＬ送信はＭＵＳＴ  ＵＬ送信ではない。それでもなお、ＵＥ２が送信機１２ａのように作用するか、あるいはそのように解釈されると仮定している。つまり、ＵＥ２が、位相補正に応じて受信部２２と上記で教示したマッパー機能とを備えていることになる。ＵＥ２の場合、これは送信機１２ｂの場合と同様に任意選択できるが、ＰＥＲＳＥを送信する。基地局ＢＳ１は専用のデマッピング機能を有するが、ＵＥ２から送信されるデータ信号に関する情報データの取得を試みようとしない。ただ単に、ＵＥ１からのデータ信号によって伝達される情報データをＵＥ２のデータ信号によって伝達される情報データから分離するためにのみ、ＭＵＳＴを使用している。その他の場合は、ＢＳ１は図４および図５の受信機１０の構造に対応している。ＢＳ２はＭＵＳＴデマッピング機能を有している必要はないが、これを有していてもよい。しかしながら、ＢＳ２は、上記に概説したものに対応するＵＥ２への位相シフト補償信号をＵＥ２に転送するために、以下に概説している方法でＢＳ１と通信してもよい。これに関する詳細、すなわち上述したような、発生し得る位相シフト補償信号に関する詳細を、ここでも適用することができる。
【００７３】
図４および図５に示した用語を使用して、受信機ＢＳ１は、サポートしている送信機ＵＥ１から所望のデータ信号を受信している。受信機ＢＳ１は、受信機ＢＳ１がＵＥ１からの所望のデータ信号と、別の受信機ＢＳ２によってサポートされている送信機ＵＥ２から、前記ＵＥ１からの所望のデータ信号で重畳する方法で送信される干渉データ信号とを受信する、チャネル間の位相シフトを推定している。これにより、ＢＳ１はチャネル間の位相シフト情報を取得する。上述したＰＳＥＲＳ送信などをスケジューリングするための概念を使用してもよい。ＢＳ１は、別の送信機ＵＥ２に位相シフト補償信号が転送されるように、これを別の基地局ＢＳ２に送信してもよく、この位相シフト補償信号は位相シフト情報によって異なる。この信号に関する詳細すべてを、ここでも使用することができる。送信機ＵＥ２は、上記に概説した方法で位相シフト補償信号を処理するが、別の目的も有する。つまり送信機ＵＥ２は、ＢＳ１およびＵＥ１間の  ＵＬ通信に関して干渉データ信号上にマッピングを行うために、使用するコンスタレーションを事前に位相シフトする。ＢＳ２はＭＵＳＴデマッピングの実行を試みようとしないため、位相シフト補償をあまり重要視していない。しかしながら、ＢＳ１は、位相シフト補償によってＵＥ１から送信される所望のデータ信号に関する情報データを取得するために、ここでＵＥ１およびＵＥ２からの所望のデータ信号と干渉データ信号とを重畳したものに、マルチユーザ重畳復号化を使用してデマッピングを行うことにより、所望のデータ信号をデマッピングすることができる。付加的にまたは代替的に、位相シフト補償をＵＥ１において行っている。
【００７４】
上記で提示したように、上述した概念をＤＬ（下りリンク）ＭＵＳＴまたは下りリンク干渉制御にも適用することができる。上記の説明がどの程度容易に下りリンク状況に置き換えることができるかについて示すために、以下の説明では、前述の説明を図１７ｂおよび１７ｃに図示したシナリオにマッピングしている。図４に注意を向け、送信機１２ａから１２ｃを基地局に置き換え、たとえば１２ａは図１７ｂのＢＳ１であり、かつ１２ｂはＢＳ２であるとし、また受信機１０を移動端末またはユーザエンティティＵＥに置き換えて解釈されたい。つまり、マルチユーザ重畳符号化を使用して送信機１２ａおよび１２ｂからデータ信号を受信させるために、受信機１０を設けており、またこれに対して、各データ信号を互いに重畳する方法で、これらを受信する受信機１０に対して送信させるために、送信機１２ａおよび１２ｂを設けていることになる。受信機ＵＥはここでは、ＢＳ１およびＢＳ２からキャリアをアグリゲートするために、キャリアアグリゲーションモードにあってもよい。重畳チャネル１６ａおよび１６ｂは、これらのアグリゲートキャリアの一部であってもよい。送信機ＢＳ１および送信機ＢＳ２の位相シフト推定参照信号送信部１４は、受信機ＵＥに位相シフト推定参照信号を送信している。この位相シフト推定参照信号を使用して、受信機ＵＥの位相シフト推定部１８は、対応する送信機ＢＳ１およびＢＳ２がマルチユーザ重畳符号化に従って自身のデータ信号を送信する、チャネル１６ａと１６ｂとの間の位相シフトを推定する。ＵＥは、ＢＳ１またはＢＳ２あるいはその両方に対して、自由に位相シフト補償信号を送信することができる。なお、位相シフト推定参照信号を競合送信または同時送信させることなく、これらが受信機ＵＥにおいて順次かつ個別に受信されるように、ＢＳ１およびＢＳ２が、基地局間インターフェース（Ｘ２インターフェース）などの自身のネットワーク相互接続を介して各自ＰＳＥＲＳ送信を制御するように、これらを構成してもよく、またＢＳ１およびＢＳ２が、ＵＥから受信した受信補償信号について互いに通知し合ってもよい。つまり、受信機ＵＥの位相シフト補償信号送信部２０は、位相シフト推定部１８から位相シフト推定によって取得したチャネル間の位相シフト情報を導出し、かつ複数の送信機ＢＳ１およびＢＳ２の少なくとも一方、すなわち各ＢＳ１および／またはＢＳ２内の位相シフト補償信号受信部２２に対して、位相シフト補償信号を送信している。位相シフト補償信号を、たとえば上りリンク制御情報（ＵＣＩ：Ｕｐｌｉｎｋ  Ｃｏｎｔｒｏｌ  Ｉｎｆｏｒｍａｔｉｏｎ）メッセージおよび／または無線リソース制御（ＲＲＣ）上りリンクメッセージ内に含めてもよい。送信機ＢＳ１内で、マッパー２４は、位相シフト補償信号に従って位相シフトを補償した特定のコンスタレーションを使用して送信すべきデータをマッピングし、これにより、ＢＳ２から送信される対応するデータ信号によって重畳する方法で、チャネル１６ａを介して受信機ＵＥに最終的に送信されるデータ信号を取得している。ＢＳ１のデータマッパー２４は、たとえばＱＰＳＫまたはＱＡＭなどの特定のチャネル状態に基づいて選択される特定のコンスタレーションに��して、送信すべきデータ２６をマッピングしてもよく、またデータマッパー２４は、自身のチャネル１６ａと、マルチユーザ重畳のパートナーであるＢＳ２のチャネル１６ｂとの間の位相シフトに配慮して、自身のコンスタレーションを回転させている。次いで、このようにして取得したデータ信号２８を使用して、たとえば送信機ＢＳ１によって受信機ＵＥに最終的に送信されるＯＦＤＭもしくはＳＣ−ＦＤＭまたはＯＦＤＭＡもしくはＳＣ−ＦＤＭＡ信号の特定のＯＦＤＭサブキャリアを形成し、その結果、言及したサブキャリアが、送信機ＢＳ２の対応するマッパーがそれ自身のデータをマッピングするサブキャリアと一致するようにしている。上述したように、受信機ＵＥ内でデマッパー３０は、重畳データ信号、すなわち３２で示している、対応するＯＦＤＭサブキャリアにデータ信号を重畳したものを受信し、これは複素平面内の特定の点を指しており、またデマッピングを行うことにより、各データ信号、すなわち送信機ＢＳ１から送信されるデータ信号２８と、送信機ＢＳ２から送信される対応するデータ信号とに対する情報データを取得している。上述したように、受信機ＵＥは、電力比情報を取得するために、複数の送信機間の電力比を推定するように構成された電力比推定部３６と、電力比情報によって異なる電力比補償信号を、送信機ＢＳ１およびＢＳ２の少なくとも一方に送信する送信部３８とをさらに備えていてもよく、この信号は、対応する電力比補償信号受信部４０によって受信され、これにより、ＢＳ１などの送信機は、電力比補償信号に応じて、データ信号２８を送信する際の電力を設定してもよい。同様に、図１６に関連して上述した詳細を、セル間ＤＬ干渉状況を改善するために、図１７ｃのＤＬ状況に対して容易にマッピングすることができる。ＵＥ２とＵＥ１とが互いの近傍に配置され、ＵＥ１がＢＳ１から同じ物理リソース上で受信する信号にピギーパックされたＢＳ２からのＤＬ信号を受信するために、ＵＥ２がＭＵＳＴモードにあり、ここでＵＥ１は、この状況に対して認識さえしていなくてもよいと仮定する。ＵＥ１もＵＥ１もキャリアアグリゲーションモードにはない可能性がある。ＢＳ２は送信機１２ａのように動作している。つまり、ＢＳ２が送信部１４によってＰＳＥＲＳを送信し、かつ位相補正に応じて受信部２２と上記で教示したマッパー機能とを備えていることになる。ＢＳ１は、たとえばただ単にＰＳＥＲＳを送信している可能性があるが、受信機と専用のマッパー機能とを有していなくてもよい。ＵＥ２は専用のデマッピング機能を有するが、ＢＳ１から送信されるデータ信号に関する情報データの取得を試みようとしない。ただ単に、ＢＳ２からのデータ信号によって伝達される情報データをＢＳ１のデータ信号によって伝達される情報データから分離するためにのみ、ＭＵＳＴを使用している。その他の場合は、ＵＥ２は図４および図５の受信機１０の構造に対応している。ＵＥ１はＭＵＳＴデマッピング機能を有している必要はないが、これを有していてもよい。したがって、ＵＥ２は、ＢＳ１からのものとＢＳ２からの別のものとからなる、２つのＰＳＥＲＳを受信している。ＵＥ２はＢＳ２によってサポートされているため、ＢＳ２に位相シフ��補償信号をシグナリングしてもよい。ＢＳ２は、データマッピングにおける位相シフト補償を制御するために、ＵＥ２から受信する位相シフト補償信号をＢＳ１に転送するか、かつ／または自身でデータマッピングにおける位相シフト補償を制御してもよい。電力制御に関しても、同様の事項を実行してもよい。Ｘ２インターフェースなどの任意のネットワーク相互接続を、ＢＳ１とＢＳ２との間の信号転送または情報交換のために使用してもよい。
【００７５】
いくつかの態様を装置に関連して記載したが、これらの態様が対応する方法に関する記載をも表していることは明らかであり、ここではブロックまたは装置は、方法ステップもしくは方法ステップの特徴に対応している。同様に、方法ステップに関連して記載している態様は、対応する装置において対応しているブロックまたは項目または特徴に関する記載をも表している。方法ステップのいくつかまたはすべてを、たとえばマイクロプロセッサ、プログラム可能なコンピュータまたは電子回路のようなハードウェア装置によって（またはこれらを使用して）実行してもよい。いくつかの実施形態では、最も重要な方法ステップの１または複数を、かかる装置によって実行してもよい。
【００７６】
上述の関与している信号を、デジタル記憶媒体上に格納することができ、あるいはインターネットなどの無線送信媒体または有線送信媒体上でこれらを送信することができる。
【００７７】
特定の実装要件に応じて、本発明の実施形態をハードウェアまたはソフトウェアに実装することができる。この実装を、たとえばフロッピーディスク、ＤＶＤ、ＢｌｕーＲａｙ、ＣＤ、ＲＯＭ、ＰＲＯＭ、ＥＰＲＯＭ、ＥＥＰＲＯＭまたはＦＬＡＳＨメモリなどの、電子的に読み取り可能な制御信号を格納しているデジタル記憶媒体を使用して行うことができ、これらは、それぞれの方法が実行されるように、プログラム可能なコンピュータシステムと協働する（または協働することができる）。したがって、デジタル記憶媒体はコンピュータ可読であってもよい。
【００７８】
本発明によるいくつかの実施形態は、電子的に読取り可能な制御信号を有するデータキャリアを備え、これらは本明細書に記載の方法のうちの１つが実行されるように、プログラム可能なコンピュータシステムと協働することができる。
【００７９】
一般に、本発明の実施形態を、プログラムコードを有するコンピュータプログラム製品として実装することができ、このプログラムコードは、コンピュータプログラム製品がコンピュータ上で実行されるときに、本方法のうちの１つを実行するように動作可能である。このプログラムコードは、たとえば機械可読キャリアに格納することができる。
【００８０】
他の実施形態は、機械可読キャリアに格納された、本明細書に記載の方法のうちの１つを実行するためのコンピュータプログラムを備える。
【００８１】
換言すれば、本発明の方法の一実施形態は、したがってコンピュータプログラムがコンピュータ上で実行されるときに、本明細書に記載の方法のうちの１つを実行するためのプログラムコードを有するコンピュータプログラムである。
【００８２】
したがって、本発明の方法の別の実施形態は、本明細書に記載の方法のうちの１つを実行するためのコンピュータプログラムを格納した、データキャリア（またはデジタル記憶媒体、もしくはコンピュータ可読媒体）である。データキャリア、デジタル記憶媒体、または事前記録媒体は、通常有形かつ／または非一時的である。
【００８３】
したがって、本発明の方法の別の実施形態は、本明細書に記載の方法のうちの１つを実行するためのコンピュータプログラムを表す、データストリームまたは信号シーケンスである。データストリームまたは信号シーケンスが、たとえばインターネットなどのデータ通信接続を介して転送されるように、これを構成してもよい。
【００８４】
別の実施形態は、本明細書に記載の方法のうちの１つを実行するように構成されているか、または適合されている、たとえばコンピュータまたはプログラマブル・ロジック・デバイスなどの処理手段を備える。
【００８５】
別の実施形態は、本明細書に記載の方法のうちの１つを実行するためのコンピュータプログラムをインストールしたコンピュータを備える。
【００８６】
本発明の別の実施形態は、本明細書に記載の方法のうちの１つを実行するためのコンピュータプログラムを受信機に転送（たとえば、電子的または光学的に）するように構成された、装置またはシステムを備える。受信機は、たとえばコンピュータ、モバイル機器、または記憶装置などであってもよい。本装置またはシステムは、たとえば、コンピュータプログラムを受信機に転送するためのファイルサーバを備えていてもよい。
【００８７】
いくつかの実施形態では、プログラマブル・ロジック・デバイス（たとえばフィールド・プログラマブル・ゲート・アレイ）を使用して、本明細書に記載の方法の機能の一部またはすべてを実行してもよい。いくつかの実施形態では、フィールド・プログラマブル・ゲート・アレイは、本明細書に記載の方法のうちの１つを実行するためにマイクロプロセッサと協働してもよい。これらの方法を通常、任意のハードウェア装置によって実行することが好ましい。
【００８８】
本明細書に記載の装置を、ハードウェア装置を使用して、またはコンピュータを使用して、あるいはハードウェア装置とコンピュータとの組み合わせを使用して実装してもよい。
【００８９】
本明細書に記載の装置、または本明細書に記載の装置の任意の構成要素を、少なくとも部分的にハードウェアおよび／またはソフトウェアに実装してもよい。
【００９０】
本明細書に記載の方法を、ハードウェア装置を使用して、またはコンピュータを使用して、あるいはハードウェア装置とコンピュータとの組み合わせを使用してもよい。
【００９１】
本明細書に記載の方法、または本明細書に記載の装置の任意の構成要素を、ハードウェアおよび／またはソフトウェアによって少なくとも部分的に実行してもよい。
【００９２】
上述の実施形態は、本発明の原理を単に例示しているものに過ぎない。本明細書に記載の構成および詳細に関する修正および変形は、他の当業者にとって明らかであると理解するものとする。したがって、後続の特許請求の範囲によってのみ限定され、本明細書の実施形態に関する記載および説明によって提示している具体的な詳細によっては限定されないことを意図している。
【００９３】
2019531005.tif 000010
【図１】
2019531005.tif 000011
【図２】
2019531005.tif 000012
【図３】
2019531005.tif 000013
【図４】
2019531005.tif 000014
【図５】
2019531005.tif 000015
【図６】
2019531005.tif 000016
【図７】
2019531005.tif 000017
【図８】
2019531005.tif 000018
【図９】
2019531005.tif 000019
【図１０】
2019531005.tif 000020
【図１１】
2019531005.tif 000021
【図１２】
2019531005.tif 000022
【図１３】
2019531005.tif 000023
【図１４】
2019531005.tif 000024
【図１５】
2019531005.tif 000025
【図１６】
2019531005.tif 000026
【図１７ａ】
2019531005.tif 000027
【図１７ｂ】
2019531005.tif 000028
【図１７ｃ】
2019531005.tif 000029
【手続補正書】
【提出日】平成31年4月11日(2019.4.11)
【手続補正１】
【補正対象書類名】特許請求の範囲
【補正対象項目名】全文
【補正方法】変更
【補正の内容】
【特許請求の範囲】
【請求項１】
マルチユーザ重畳符号化を使用して、複数の送信機（１２ａ、１２ｂ）からデータ信号を受信するための受信機であって、前記受信機は、
チャネル（１６ａ、１６ｂ）間の位相シフト情報を取得するために、前記受信機が前記データ信号を受信する、前記チャネル間の位相シフトを推定し（１８）、
前記複数の送信機の少なくとも一方に、前記位相シフト情報によって異なる位相シフト補償信号を送信し（２０）、かつ
データ信号ごとに情報データを取得するために、前記データ信号を重畳したものにデマッピングを行うことによって、前記データ信号をデマッピングする（３０）ように構成されている、受信機。
【請求項２】
前記受信機は、前記複数の送信機の少なくとも一方に対して、前記チャネル間の位相シフトを低減するように指示を出すような、前記位相シフト補償信号を送信するように構成されている、請求項１に記載の受信機。
【請求項３】
前記受信機は、
電力比情報を取得するために、前記受信機が前記データ信号を受信する、前記チャネル間の電力比を推定し（３６）、
前記複数の送信機の少なくとも一方に、前記電力比情報によって異なる電力比補償信号を送信する（３８）ようにさらに構成されており、
前記電力比補償信号は前記電力比情報によって異なり、かつ前記位相シフト補償信号
は前記位相シフト情報によって異なり、
これにより、前記位相シフト補償信号が前記チャネル間の位相シフトを低減し、かつ
前記電力比補償信号が、前記チャネル間の前記電力比と目標比との偏差を低減するようにしている、請求項２の記載の受信機。
【請求項４】
前記データ信号および前記送信機の数はそれぞれ２つであり、前記目標比は区間［０．９、１．１］の範囲外であり、区間［０．１、１０］の範囲内である、請求項３に記載の受信機。
【請求項５】
前記データ信号はＮ＞１となるデータ信号であり、前記目標比を、ａ１、ａ２＜ａ３、ａ４＜…＜ａＮである第１から第Ｎのデータ信号においてａ１：ａ２：…：ａＮとしており、第（２ｎ＋１）のデータ信号のＢＰＳＫコンスタレーションを、第（２（ｎ＋１））のデータ信号のデータ信号のＢＰＳＫコンスタレーションに対して−１＜ｎ＜Ｎ／２で回転させる形態で、各データ信号を別々にＢＰＳＫ変調しており、前記受信機は、前記重畳をデマッピングするために、第Ｎから第１のデータ信号のＢＰＳＫコンスタレーションを順に１つずつ再帰的にコピーすることから生じる、コンポーネントコンスタレーションを使用するように構成されている、請求項３または４に記載の受信機。
【請求項６】
前記データ信号を、それぞれの変調方式に従って別々に変調しており、前記受信機は、前記重畳をデマッピングするために、第２のデータ信号の変調方式における第２のコンスタレーションのコンスタレーション点で、第１のデータ信号の変調方式における第１のコンスタレーションをコピーすることから生じる、コンポーネントコンスタレーションを使用するように構成されている、請求項１から５のいずれか一項に記載の受信機。
【請求項７】
前記受信機は、スペクトル的に配置されたＯＦＤＭ信号サブキャリアを介して、前記複数の送信機から前記データ信号を受信するように構成されており、第１の送信機からの第１のＯＦＤＭ信号におけるリソースブロックは、第２の送信機（１２ｂ）から送信される第２のＯＦＤＭ信号における物理リソースブロックに対応するＫサブバンドに細分されている、請求項１から６のいずれか一項に記載の受信機。
【請求項８】
前記受信機は、マルチユーザ重畳を使用して第１および第２のデータ信号を受信するように構成されており、前記受信機は、前記位相シフト補償信号が、スペクトルサブバンドごとに１つの位相シフト値を含み、これに対して、前記第１のＯＦＤＭ信号の物理リソースブロックが細分されるように、前記位相シフト補償信号を前記第１の送信機に送信するように構成されている、請求項７に記載の受信機。
【請求項９】
前記受信機は、チャネル推定を行うために、前記第２の送信機によって送信される第２のチャネル推定参照信号の少なくともサブセットに干渉させないように、ＯＦＤＭ送信をブランキングするタイミングに関して前記第１の送信機に指示するブランキングスケジューリング信号を前記第１の送信機（１２ａ）に送信するように構成されており、前記受信機は、前記第２の送信機によって送信される第２のチャネル推定参照信号に基づいて位相シフト推定を行うように構成されている、請求項１から８のいずれか一項に記載の受信機。
【請求項１０】
前記受信機は、前記第２のチャネル推定参照信号のサブセットを、位相シフト推定参照信号として使用するように構成されている、請求項９に記載の受信機。
【請求項１１】
前記受信機は、下りリンク制御情報（ＤＣＩ）メッセージを介して、かつ／または無線リソース制御（ＲＲＣ）メッセージを介して、前記ブランキングスケジューリング信号を送信するように構成されている、請求項９または１０に記載の受信機。
【請求項１２】
前記受信機は、物理ランダム・アクセス・チャネル（ＰＲＡＣＨ：Ｐｈｙｓｉｃａｌ  Ｒａｎｄｏｍ  Ａｃｃｅｓｓ  Ｃｈａｎｎｅｌ）信号が位相シフト推定参照信号に干渉しないように、ランダム・アクセスＰＲＡＣＨのアクティブ位相の最後に前記複数の送信機の少なくとも一方から前記位相シフト推定参照信号を受信することにより、前記位相シフト推定を行うように構成されている、請求項１から１１のいずれか一項に記載の受信機。
【請求項１３】
前記受信機は、前記受信機に位相シフト推定参照信号を送信するタイミング、および／または送信時のスペクトルバンドに関して前記複数の送信機の少なくとも一方に指示する参照信号スケジューリング信号を前記複数の送信機の少なくとも一方に送信するように構成されており、前記受信機は、前記位相シフト推定参照信号に基づいて前記位相シフト推定を行うように構成されている、請求項１から１２のいずれか一項に記載の受信機。
【請求項１４】
前記受信機は、前記参照信号スケジューリング信号内で、発生し得るいくつかの位相シフト推定参照信号から前記位相シフト推定参照信号を表示するように構成されている、請求項１３に記載の受信機。
【請求項１５】
前記受信機は、下りリンク制御情報（ＤＣＩ）メッセージを介して、かつ／または無線リソース制御（ＲＲＣ）メッセージを介して、前記参照信号スケジューリング信号を送信するように構成されている、請求項１３または１４に記載の受信機。
【請求項１６】
前記受信機は、下りリンク制御情報（ＤＣＩ）メッセージを介して、かつ／または無線リソース制御（ＲＲＣ）メッセージを介して、前記位相シフト補償信号を送信するように構成されている、請求項１から１５のいずれか一項に記載の受信機。
【請求項１７】
前記受信機は、前記位相シフト補償信号を、第１のタイプのメッセージおよび第２のタイプのメッセージ内で送信するように構成されており、前記第１のタイプのメッセージは、前記第２のタイプのメッセージと比較して送信頻度がより少なく、かつ前記第１のタイプのメッセージにおける前記位相シフト補償信号は、前記第２のタイプのメッセージにおける前記位相シフト補償信号によって記述することのできないシグナリング位相オフセットを可能にしている、請求項１から１６のいずれか一項に記載の受信機。
【請求項１８】
前記受信機は、インジケータフィールドと位相シフトフィールドとを含むメッセージ内で前記位相シフト補償信号を送信するように構成されており、前記インジケータフィールド内の値は、前記位相シフトフィールド内の値と、位相シフト補償に使用される位相シフト値との間のマッピングを変更する、請求項１から１７のいずれか一項に記載の受信機。
【請求項１９】
前記受信機は、次に配慮すべき位相シフトを絶対的に、または相対的に現在の位相シフトに表示する方法で、前記位相シフト補償信号を送信するように構成されている、請求項１から１８のいずれか一項に記載の受信機。
【請求項２０】
前記受信機は、重みによって求められた予測アルゴリズムを使用した、過去の位相シフトの重み付けに基づいて前記位相シフトを予測し、かつ位相シフト補償信号として前記重みの更新を送信するように構成されている、請求項１から１９のいずれか一項に記載の受信機。
【請求項２１】
前記受信機は、前記位相シフトを追跡するようにあるモデルを訓練し、かつ位相シフト補償信号として訓練される前記モデルに関する情報を送信するように構成されている、請求項１から２０のいずれか一項に記載の受信機。
【請求項２２】
前記受信機は基地局であり、前記データ信号は前記受信機に対して、上りリンク方向で前記複数の送信機によって送信されるか、または前記受信機は移動端末であり、前記データ信号は前記受信機に対して、下りリンク方向で前記複数の送信機によって送信されており、前記送信機は別々の基地局である、請求項１から２１のいずれか一項に記載の受信機。
【請求項２３】
前記受信機は、ＯＦＤＭもしくはＳＣ−ＦＤＭまたはＯＦＤＭＡ  もしくはＳＣ−ＦＤＭＡ無線通信システムの基地局であり、前記複数の送信機は、ＯＦＤＭもしくはＳＣ−ＦＤＭまたはＯＦＤＭＡもしくはＳＣ−ＦＤＭＡ無線通信システムの移動端末であり、前記データ信号は、上りリンク方向において前記複数の送信機によって供給される、時間的にオーバーラップするＯＦＤＭシンボルにおいて周波数がオーバーラップするサブキャリア上で受信されている、請求項１から２２のいずれか一項に記載の受信機。
【請求項２４】
別の送信機（１２ｂ；ＵＥ１）の別のデータ信号で重畳したデータ信号を、マルチユーザ重畳符号化を使用して少なくとも前記別のデータ信号を受信しようと試みる受信機（１０；ＢＳ１）に送信するための送信機であって、前記送信機は、
前記受信機（１０；ＢＳ１）に位相シフト推定参照信号を送信し（１４）、
前記位相シフト推定参照信号に応答した位相シフト補償信号を受信し（２２）、かつ
前記データ信号を取得するために、前記位相シフト補償信号に従って位相シフトを補償したコンスタレーションを使用して、データをマッピングする（２４）ように構成されている、送信機。
【請求項２５】
前記送信機は、
前記受信機（１０）または前記データ信号の受信者（ＢＳ２）から電力比補償信号を受信し（４０）、
前記電力比補償信号に応じて、前記データ信号を送信する際の電力を設定するようにさらに構成されている、請求項２４に記載の送信機。
【請求項２６】
前記送信機は、スペクトル的に配置された第２のＯＦＤＭ信号サブキャリアを介して別の前記データ信号を送信する形態で、ＯＦＤＭ信号サブキャリアを介して前記データ信号を送信するように構成されており、前記第１のＯＦＤＭ信号は、第２のＯＦＤＭ信号と比較してより短く、かつサブキャリアのスペクトル密度がより低くなっている、請求項２４または２５に記載の送信機。
【請求項２７】
前記送信機は、スペクトル的に隣接する前記第１のＯＦＤＭ信号サブキャリアの帯域に、前記位相シフト補償信号に従って位相シフトを補償したそれぞれのコンスタレーションを使用してデータをマッピングし、これによって配置された対応する前記第２のＯＦＤＭ信号サブキャリアとの重畳をもたらすように構成されており、前記送信機は、前記位相シフト補償信号からスペクトルサブバンドごとの位相シフト値を読み取り、これに対して、前記第１のＯＦＤＭ信号が属するキャリアの物理リソースブロックが、前記第２のＯＦＤＭ信号が属するキャリアの物理リソースブロックによってさらに細分される状態にするように構成されている、請求項２６に記載の送信機。
【請求項２８】
チャネル推定を行うために、前記別の送信機（１２ｂ；ＵＥ１）によって送信される第２のチャネル推定参照信号の少なくともサブセットに干渉させないように、ＯＦＤＭ送信をブランキングするタイミングに関して、前記受信機（１０）または前記データ信号の受信者（ＢＳ２）からのブランキングスケジューリング信号に応答するように構成されている、請求項２４から２７のいずれか一項に記載の送信機。
【請求項２９】
下りリンク制御情報（ＤＣＩ）メッセージを介して、かつ／または無線リソース制御（ＲＲＣ）メッセージを介して、前記ブランキングスケジューリング信号を受信するように構成されている、請求項２８に記載の送信機。
【請求項３０】
物理ランダム・アクセス・チャネル（ＰＲＡＣＨ：Ｐｈｙｓｉｃａｌ  Ｒａｎｄｏｍ  Ａｃｃｅｓｓ  Ｃｈａｎｎｅｌ）のアクティブ位相の最後に、前記位相シフト推定信号を送信するように構成されている、請求項２４から２９のいずれか一項に記載の送信機。
【請求項３１】
前記送信機は、
前記受信機（１０）または前記データ信号の受信者（ＢＳ２）から参照信号スケジューリング信号を受信し、かつ
前記参照信号スケジューリング信号によって異なるスケジュールされた時間に、かつ／またはスペクトルバンドにおいて、前記受信機（１０；ＢＳ１）に位相シフト推定参照信号を送信するようにさらに構成されている、請求項２４から３０のいずれか一項に記載の送信機。
【請求項３２】
前記送信機は、前記参照信号スケジューリング信号に応じて、前記位相シフト推定参照信号を生成するように構成されている、請求項３１に記載の送信機。
【請求項３３】
前記送信機は、下りリンク制御情報（ＤＣＩ）メッセージを介して、かつ／または無線リソース制御（ＲＲＣ）メッセージを介して、前記参照信号スケジューリング信号を受信するように構成されている、請求項３１または３２に記載の送信機。
【請求項３４】
前記送信機は、下りリンク制御情報（ＤＣＩ）メッセージを介して、かつ／または無線リソース制御（ＲＲＣ）メッセージを介して、前記位相シフト補償信号を受信するように構成されている、請求項２４から３３のいずれか一項に記載の送信機。
【請求項３５】
前記送信機は、前記位相シフト補償信号を、第１のタイプのメッセージおよび第２のタイプのメッセージ内で受信するように構成されており、前記第１のタイプのメッセージは、前記第２のタイプのメッセージと比較して受信頻度がより少なくなっており、前記送信機は、前記第１のタイプのメッセージにおける前記位相シフト補償信号を、前記第２のタイプのメッセージにおける前記位相シフト補償信号によって記述することのできないシグナリング位相オフセットとして、これを解釈するように構成されている、請求項２４から３４のいずれか一項に記載の送信機。
【請求項３６】
前記送信機は、インジケータフィールドと位相シフトフィールドとを含むメッセージ内で前記位相シフト補償信号を受信し、かつ前記インジケータフィールド内の値に応じて、前記位相シフトフィールド内の値と、前記データの位相シフト補償によるマッピングで使用する位相シフト値との間のマッピングを変更するように構成されている、請求項２４から３５のいずれか一項に記載の送信機。
【請求項３７】
前記送信機は、前記位相シフト補償信号に応じて、所定の固定の回転準位に対して、または現在の回転準位に対してコンスタレーションを回転させるように構成されている、請求項２４から３６のいずれか一項に記載の送信機。
【請求項３８】
前記送信機は、重みと、前記位相シフト補償信号よる重みの更新とによって求められた予測アルゴリズムを使用した、過去の位相シフトの重み付けに基づいて、前記マッピングに使用する位相シフトを予測するように構成されている、請求項２４から３５のいずれか一項に記載の送信機。
【請求項３９】
前記送信機は、前記位相シフト補償信号を介してあるモデルに関する情報を受信し、かつ前記マッピングに使用する位相シフトを追跡させるために前記モデルを使用するように構成されている、請求項２４から３８のいずれか一項に記載の送信機。
【請求項４０】
前記受信機は基地局であり、前記データ信号は前記受信機に対して、上りリンク方向で送信されるか、または前記受信機は移動端末であり、前記データ信号は前記受信機に対して、下りリンク方向で送信されており、前記送信機と前記別の送信機とは別々の基地局である、請求項２４から３９のいずれか一項に記載の送信機。
【請求項４１】
前記受信機は、ＯＦＤＭもしくはＳＣ−ＦＤＭまたはＯＦＤＭＡ  もしくはＳＣ−ＦＤＭＡ無線通信システムの基地局であり、前記送信機は、ＯＦＤＭもしくはＳＣ−ＦＤＭまたはＯＦＤＭＡもしくはＳＣ−ＦＤＭＡ無線通信システムの移動端末であり、前記データ信号は、ＯＦＤＭシンボルのサブキャリア上で送信されている、請求項２４から４０のいずれか一項に記載の送信機。
【請求項４２】
サポートしている送信機（ＵＥ１）から所望のデータ信号を受信するための受信機であって、前記受信機は、
チャネル間の位相シフト情報を取得するために、前記受信機が前記所望のデータ信号と、別の受信機（ＢＳ２）によってサポートされている送信機（ＵＥ２）から、前記所望のデータ信号で重畳する方法で送信される干渉データ信号とを受信する、前記チャネル間の位相シフトを推定し、
前記別の送信機（ＵＥ２）に、前記位相シフト情報によって異なる位相シフト補償信号が転送されるように、これを別の基地局（ＢＳ２）に送信し、かつ
前記所望のデータ信号に関する情報データを取得するために、前記所望のデータ信号と前記干渉データ信号とを重畳したものに、マルチユーザ重畳復号化を使用してデマッピングを行うことにより、前記所望のデータ信号をデマッピングするように構成されている、受信機。
【請求項４３】
マルチユーザ重畳符号化を使用して複数の送信機（１２ａ、１２ｂ）からデータ信号を受信する方法であって、前記方法は、
チャネル（１６ａ、１６ｂ）間の位相シフト情報を取得するために、前記受信機が前記データ信号を受信する、チャネル間の位相シフトを推定するステップ（１８）と、
前記複数の送信機の少なくとも一方に、位相シフト補償信号を送信するステップ（２０）であって、前記位相シフト補償信号は前記位相シフト情報によって異なる、ステップ（２０）と、
前記データ信号ごとに情報データを取得するために、前記データ信号を重畳したものにデマッピングを行うことによって、前記データ信号をデマッピングするステップ（３０）とを含む、方法。
【請求項４４】
別の送信機（１２ｂ；ＵＥ１）の別のデータ信号で重畳したデータ信号を、マルチユーザ重畳符号化を使用して少なくとも前記別のデータ信号を受信しようと試みる受信機（１０；ＢＳ１）に送信するための方法であって、前記方法は、
前記受信機（１０；ＢＳ１）に位相シフト推定参照信号を送信するステップ（１４）と、
前記位相シフト推定参照信号に応答した位相シフト補償信号を受信するステップ（２２）と、
前記データ信号を取得するために、前記位相シフト補償信号に従って位相シフトを補償したコンスタレーションを使用して、データをマッピングするステップ（２４）とを含む、方法。
【請求項４５】
サポートしている送信機（ＵＥ１）から所望のデータ信号を受信する方法であって、前記方法は、
チャネル間の位相シフト情報を取得するために、前記受信機が前記所望のデータ信号と、別の受信機（ＢＳ２）によってサポートされている送信機（ＵＥ２）から、前記所望のデータ信号で重畳する方法で送信される干渉データ信号とを受信する、前記チャネル間の位相シフトを推定するステップと、
前記別の送信機（ＵＥ２）に位相シフト補償信号が転送されるように、これを前記別の基地局（ＢＳ２）に送信するステップであって、前記位相シフト補償信号は前記位相シフト情報によって異なる、ステップと、
前記所望のデータ信号に関する情報データを取得するために、前記所望のデータ信号と前記干渉データ信号とを重畳したものに、マルチユーザ重畳復号化を使用してデマッピングを行うことにより、前記所望のデータ信号をデマッピングするステップとを含む、方法。
【請求項４６】
基地局（ＢＳ２）から所望のデータ信号を受信するユーザエンティティ（ＵＥ２）であって、前記ユーザエンティティは、
チャネル間の位相シフト情報を取得するために、前記ユーザエンティティが前記所望のデータ信号と、別の基地局（ＢＳ１）によってサポートされている別のユーザエンティティ（ＵＥ１）から、前記所望のデータ信号で重畳する方法で送信される干渉データ信号とを受信する、前記チャネル間の位相シフトを推定し、
前記別の基地局（ＢＳ１）に、前記位相シフト情報によって異なる位相シフト補償信号が転送されるように、これを前記基地局（ＢＳ２）に送信し、かつ
前記所望のデータ信号に関する情報データを取得するために、前記所望のデータ信号と前記干渉データ信号とを重畳したものに、マルチユーザ重畳復号化を使用してデマッピングを行うことにより、前記所望のデータ信号をデマッピングするように構成されている、ユーザエンティティ（ＵＥ２）。
【請求項４７】
基地局（ＢＳ２）から所望のデータ信号を受信する方法（ＵＥ２）であって、前記方法は、
チャネル間の位相シフト情報を取得するために、前記ユーザエンティティが前記所望のデータ信号と、別の基地局（ＢＳ１）によってサポートされている別のユーザエンティティ（ＵＥ１）から、前記所望のデータ信号で重畳する方法で送信される干渉データ信号とを受信する、前記チャネル間の位相シフトを推定するステップと、
前記別の基地局（ＢＳ１）に位相シフト補償信号が転送されるように、これを前記基地局（ＢＳ２）に送信するステップであって、前記位相シフト補償信号は前記位相シフト情報によって異なる、ステップと、
前記所望のデータ信号に関する情報データを取得するために、前記所望のデータ信号と前記干渉データ信号とを重畳したものに、マルチユーザ重畳復号化を使用してデマッピングを行うことにより、前記所望のデータ信号をデマッピングするステップとを含む、方法（ＵＥ２）。
【請求項４８】
コンピュータ上で実行されると、請求項４３から４５および４７のいずれか一項に記載の方法を実行する命令を格納しているコンピュータ可読媒体を備える、非一時的コンピュータプログラム製品。
【国際調査報告】
2019531005.tif 000030
2019531005.tif 000031
2019531005.tif 000032